(57)【要約】【課題】情報を要求するメッセージの増大によるネットワーク通信負荷の増大を抑制する。【解決手段】情報の要求元である通信装置（Ｎ１−Ｎｎ）とネットワーク（ＮＷ）上の情報提供元（Ｎｘ）との間で通信装置（１）を通して情報の要求メッセージとその応答メッセージが送受信されると、通信装置（１）が応答メッセージから取得した情報を応答情報記憶部（４）に格納し、任意の通信装置が同じ情報の少なくとも一部を要求したときに、制御部（５）が当該要求された情報を含む応答メッセージを作成して応答する。【選択図】図１
2014091739.tif 000002
【特許請求の範囲】
【請求項１】
ネットワークと接続した第１通信装置に複数の第２通信装置が接続された通信システムであって、
情報の要求元である第２通信装置と前記ネットワーク上の情報提供元との間で前記第１通信装置を通して情報の要求メッセージとその応答メッセージが送受信されると、前記第１通信装置が前記応答メッセージから取得した前記情報を格納し、任意の第２通信装置が前記情報提供元に対して同じ情報の少なくとも一部を要求したときに、前記第１通信装置が当該要求された情報を含む応答メッセージを作成して応答する、ことを特徴とする通信システム。
【請求項２】
前記情報提供元が前記情報に有効期限を設定し、前記第１通信装置は前記格納された情報が前記有効期限内であれば前記応答メッセージを作成して応答する、ことを特徴とする請求項１に記載の通信システム。
【請求項３】
情報の要求元が前記要求する情報の取得指定期間を設定し、前記第１通信装置は前記格納された情報が前記取得指定期間内であれば前記応答メッセージを作成して応答する、ことを特徴とする請求項１または２に記載の通信システム。
【請求項４】
前記ネットワークが移動通信システムのコアネットワークであることを特徴とする請求項１−３のいずれか１項に記載の通信システム。
【請求項５】
前記ネットワークが移動通信システムの外部ネットワークであることを特徴とする請求項１−３のいずれか１項に記載の通信システム。
【請求項６】
前記第１通信装置がゲートウェイ装置であり、前記第２通信装置が無線基地局であることを特徴とする請求項１−５のいずれか１項に記載の通信システム。
【請求項７】
ネットワークと複数の通信装置との間に設けられたゲートウェイ装置であって、
情報の要求元である通信装置と前記ネットワーク上の情報提供元との間で送受信される情報の要求メッセージとその応答メッセージとを検出する手段と、
前記応答メッセージから取得した前記情報を格納する格納手段と、
任意の第２通信装置が前記情報提供元に対して同じ情報の少なくとも一部を要求したときに、前記格納手段に格納されている当該要求された情報を含む応答メッセージを作成して応答する制御手段と、
を有することを特徴とするゲートウェイ装置。
【請求項８】
前記制御手段は、前記情報に有効期限を設定されている場合、前記格納手段に格納された情報が前記有効期限内であれば前記応答メッセージを作成して応答することを特徴とする請求項７に記載のゲートウェイ装置。
【請求項９】
前記制御手段は、前記要求元が要求する情報に取得指定期間が設定されている場合、前記格納手段に格納された情報が前記取得指定期間内であれば前記応答メッセージを作成して応答する、ことを特徴とする請求項７または８に記載のゲートウェイ装置。
【請求項１０】
ネットワークと複数の基地局との間に設けられた通信装置における通信制御方法であって、
情報の要求元である基地局と前記ネットワーク上の情報提供元との間で送受信される情報の要求メッセージとその応答メッセージとを検出し、
前記応答メッセージから取得した前記情報を格納手段に格納し、
任意の基地局が前記情報提供元に対して同じ情報の少なくとも一部を要求したときに、前記格納手段に格納されている当該要求された情報を含む応答メッセージを作成して応答する、
ことを特徴とする通信制御方法。
【発明の詳細な説明】
【技術分野】
【０００１】
本発明は複数の通信装置を含む通信システムに係り、特に複数の通信装置を管理するゲートウェイ装置およびその通信制御方法に関する。
【背景技術】
【０００２】
ここ数年、携帯電話からのトラフィックは増加の一途を辿り、この傾向はスマートフォンの普及が進むにつれてより顕著になってきている。トラフィックの増加に伴い、通信事業者は従来のマクロ基地局の設備を増強するだけでなく、より小さなカバーエリアを擁するピコセル、フェムトセルとよばれる小型の基地局をホットスポットに設置することにより、ユーザが快適に通信できる環境を作り出そうとしている。更にフェムトセルはホットスポットに設置するのみでなく、マクロ基地局の電波の届きにくい家庭や企業など屋内に設置することでユーザの利便性を向上させるために使用されたり、局所性を活かした付加価値サービスを提供するために使用されたりする。【０００３】
HeNB(Home eNB)がUniversal Mobile Telecommunication System terrestrial radio access network（以下、UTRAN）やGSM EDGE radio access network（以下、GERAN）のネットワーク情報を取得する手順はRAN Information Management（以下、RIM）と呼ばれ、非特許文献１に定義されている。RIMにおいて、HeNBはMME(Mobile Management Entity)に送信するS1AP:ENB DIRECT INFORMATION TRANSFERでUTRAN/GERANのネットワーク情報を問い合わせる。このメッセージはMMEとSGSNを介してUTRAN/GERANへ送信され、このメッセージを受信したUTRAN/GERANはネットワーク情報を設定したメッセージをSGSNへ送信し、HeNBはMMEから受信するS1AP:MME DIRECT INFORMATION TRANSFERでUTRAN/GERANのネットワーク情報を取得する。【０００４】
HeNBがSCTP（Ｓtream Control Transmission Protocol)接続を確立するのに用いるべきTNL(Transport Network Layer)アドレスが分からないeNBあるいはHeNB（以下、これらを総称して(H)eNBと表記する）のTNLアドレスを特定する手順はTNL address discoveryと呼ばれ、非特許文献２に定義されている。あるHeNBが(H)eNBのTNLアドレスを問い合わせるためにMMEにS1AP:ENB CONFIGURATION TRANSFERを送信し、MMEが該当する（H）eNBを管理している場合はそのMMEが、そうでない場合は該当する（H）eNBを管理しているMMEにメッセージを転送してそのMMEが、該当する（H）eNBに対してS1AP:MME  CONFIGURATION TRANSFERを送信する。MMEは、その応答として該当する（H）eNBからS1AP:ENB CONFIGURATION TRANSFERを受信する。送信元のHeNBは、自身を管理するMMEからS1AP:MME CONFIGURATION TRANSFERを受信し、(H)eNBのTNLアドレスを取得する。【０００５】
上記のTNL address discovery手順に類似した手順として、UTRANのネットワークにおいてHNB(3G Home NodeB)とHNB-GWというノードによって実施されるHNB Configuration Transferと呼ばれる手順があり、これは非特許文献３に記載されている。HNBはTNL address discovery手順と同様にHNB Configuration Transfer手順によって近隣のHNBのTNLアドレスを取得する。この手順によってHNB-GWは自身より上位の装置にメッセージを送信することはしない。この点がコアネットワークにメッセージを送信する必要のあるTNL address discovery手順と異なる。
【先行技術文献】
【非特許文献】
【０００６】
【非特許文献１】3GPP TS23.401 v11.3.0(2112-09) Section 5.15, pp.228-229
【非特許文献２】３ＧPP TS36.300 v10.5．0(2011-09) Section 22.3．6 p.175
【非特許文献３】３ＧPP TS25.467 v10.1．0 Release 10 Section 5.8 pp.25-26
【発明の概要】
【発明が解決しようとする課題】
【０００７】
しかしながら、上述したRIM手順とTNL address discovery手順では、MMEが(H)eNBから受信したメッセージを他のノードに転送しているが、この際にMMEとSGSN、MMEと(H)eNB、MMEとMMEの間でメッセージの送受信が行われる。超小型基地局であるHeNBは非常に多くの台数が設置されるため、これらのHeNBからのシグナリングが通信事業者のネットワークの通信負荷を増大させる可能性がある。すなわち、ネットワーク情報やアドレス情報などを要求するメッセージが多数の通信装置からネットワークへ送出されると、ネットワーク上で多数のシグナリングが発生し、ネットワークの通信負荷は看過できないほどに大きくなることが予想される。【０００８】
そこで、本発明の目的は、情報を要求するメッセージの増大によるネットワーク通信負荷の増大を抑制する通信システム、ゲートウェイ装置および通信制御方法を提供することにある。
【課題を解決するための手段】
【０００９】
本発明による通信システムは、ネットワークと接続した第１通信装置に複数の第２通信装置が接続された通信システムであって、情報の要求元である第２通信装置と前記ネットワーク上の情報提供元との間で前記第１通信装置を通して情報の要求メッセージとその応答メッセージが送受信されると、前記第１通信装置が前記応答メッセージから取得した前記情報を格納し、任意の第２通信装置が前記情報提供元に対して同じ情報の少なくとも一部を要求したときに、前記第１通信装置が当該要求された情報を含む応答メッセージを作成して応答する、ことを特徴とする。
本発明によるゲートウェイ装置は、ネットワークと複数の通信装置との間に設けられたゲートウェイ装置であって、情報の要求元である通信装置と前記ネットワーク上の情報提供元との間で送受信される情報の要求メッセージとその応答メッセージとを検出する手段と、前記応答メッセージから取得した前記情報を格納する格納手段と、任意の第２通信装置が前記情報提供元に対して同じ情報の少なくとも一部を要求したときに、前記格納手段に格納されている当該要求された情報を含む応答メッセージを作成して応答する制御手段と、を有することを特徴とする。
本発明による通信制御方法は、ネットワークと複数の基地局との間に設けられた通信装置における通信制御方法であって、情報の要求元である基地局と前記ネットワーク上の情報提供元との間で送受信される情報の要求メッセージとその応答メッセージとを検出し、前記応答メッセージから取得した前記情報を格納し、任意の基地局が前記情報提供元に対して同じ情報の少なくとも一部を要求したときに、前記格納手段に格納されている当該要求された情報を含む応答メッセージを作成して応答する、ことを特徴とする。
【発明の効果】
【００１０】
本発明によれば、格納された情報と同じ情報の要求があると、当該要求をネットワークへ転送することなく当該情報を含む応答メッセージを作成して応答することにより、情報を要求するメッセージの増大によるネットワーク通信負荷の増大を抑制することができる。
【図面の簡単な説明】
【００１１】
【図１】図１は本発明の実施形態による通信装置の機能的構成を示すブロック図である。
【図２】図２は第１実施形態による通信制御方法を示すフローチャートである。
【図３】図３は第２実施形態による通信制御方法を示すフローチャートである。
【図４】図４は第３実施形態による通信制御方法を示すフローチャートである。
【図５】図５は本発明の第１実施例による通信システムを示すシステム構成図である。
【図６】図６は第１実施例による通信システムの未登録情報取得時の動作を示すシーケンス図である。
【図７】図７は第１実施例による通信システムの登録情報応答時の動作を示すシーケンス図である。
【図８】図８は第２実施例による通信システムの未登録情報取得時の動作を示すシーケンス図である。
【図９】図９は第２実施例による通信システムの登録情報応答時の動作を示すシーケンス図である。
【図１０】図１０は本発明の第３実施例による通信システムを示すシステム構成図である。
【図１１】図１１は第３実施例による通信システムの未登録情報取得時の動作を示すシーケンス図である。
【図１２】図１２は第３実施例による通信システムの登録情報応答時の動作を示すシーケンス図である。
【図１３】図１３は第４実施例による通信システムの未登録情報取得時の動作を示すシーケンス図である。
【図１４】図１４は第４実施例による通信システムの登録情報応答時の動作を示すシーケンス図である。
【図１５】図１５は本発明の第５実施例による通信システムを示すシステム構成図である。
【図１６】図１６は第５実施例による通信システムの未登録情報取得時の動作を示すシーケンス図である。
【図１７】図１７は第５実施例による通信システムの登録情報応答時の動作を示すシーケンス図である。
【図１８】図１８は第６実施例による通信システムの未登録情報取得時の動作を示すシーケンス図である。
【図１９】図１９は本発明の第７実施例による通信システムを示すシステム構成図である。
【図２０】図２０は第７実施例による通信システムの動作を示すシーケンス図である。
【図２１】図２１は第８実施例による通信システムの未登録情報取得時の動作を示すシーケンス図である。
【図２２】図２２は第８実施例による通信システムの登録情報応答時の動作を示すシーケンス図である。
【図２３】図２３は本発明の第９実施例による通信システムを示すシステム構成図である。
【図２４】図２４は第９実施例による通信システムの未登録情報取得時の動作を示すシーケンス図である。
【図２５】図２５は第９実施例による通信システムの登録情報応答時の動作を示すシーケンス図である。
【図２６】図２６は第１０実施例による通信システムの動作を示すシーケンス図である。
【図２７】図２７は第１１実施例による通信システムの動作を示すシーケンス図である。
【図２８】図２８は第１２実施例による通信システムの未登録情報取得時の動作を示すシーケンス図である。
【図２９】図２９は第１２実施例による通信システムの登録情報応答時の動作を示すシーケンス図である。
【図３０】図３０は第１３実施例による通信システムの動作を示すシーケンス図である。
【図３１】図３１は第１４実施例による通信システムの動作を示すシーケンス図である。
【図３２】図３２は本発明の第１５実施例による通信システムを示すシステム構成図である。
【図３３】図３３は第１５実施例による通信システムの未登録情報取得時の動作を示すシーケンス図である。
【図３４】図３４は第１５実施例による通信システムの登録情報応答時の動作を示すシーケンス図である。
【図３５】図３５は本発明の第１６実施例による通信システムを示すシステム構成図である。
【図３６】図３６は第１６実施例による通信システムの動作を示すシーケンス図である。
【図３７】図３７は第１９実施例による通信システムの未登録情報取得時の動作を示すシーケンス図である。
【図３８】図３８は第１９実施例による通信システムの登録情報応答時の動作を示すシーケンス図である。
【図３９】図３９は第２０実施例による通信システムの未登録情報取得時の動作を示すシーケンス図である。
【図４０】図４０は第２０実施例による通信システムの登録情報応答時の動作を示すシーケンス図である。
【図４１】図４１は第２０実施例において定義されるコンテナの一例を示す図である。
【図４２】図４２は第２０実施例において定義されるコンテナの他の例を示す図である。
【図４３】図４３は第２２実施例による通信システムの未登録情報取得時の動作を示すシーケンス図である。
【図４４】図４４は第２２実施例による通信システムの登録情報応答時の動作を示すシーケンス図である。
【図４５】図４５はその他の実施例において定義されるコンテナの例を示す図である。
【発明を実施するための形態】
【００１２】
本発明の実施形態によれば、情報要求元からの情報要求に対して情報提供元が応答したとき、情報提供元から受信した当該情報を記憶し、その後、同じ情報少なくとも一部が要求されたときには、その要求を情報提供元へ転送することなく、記憶している情報を用いて要求元へ応答する。したがって、同じ情報要求であればネットワークへ送出しないので、ネットワークの通信負荷の増大を抑制することができる。以下、ネットワークに接続された第１通信装置と複数の第２通信装置とが接続された通信システムを一例として、本発明の実施形態について説明する。
【００１３】
図１に示すように、通信装置１はネットワークＮＷと複数（ｎ個）の通信装置Ｎ１−Ｎｎとの間に接続されており、任意の通信装置Ｎｉ（ｉはｎ以下の自然数）とネットワークＮＷ上の情報提供元装置Ｎｘとの間でデータ通信を可能にする。通信装置１には、通信装置Ｎ１−Ｎｎと接続するための通信部２とネットワークＮＷと接続するための通信部３とが設けられ、後述する応答情報を登録するための応答情報記憶部４が設けられている。また制御部５は、次に述べるように、通信装置１の動作を制御する。
【００１４】
Ａ．第１実施形態
図２において、制御部５は通信装置Ｎｉからある情報の要求メッセージを受信したか否かを判断し（動作Ａ＿１）、要求メッセージを受信したときには（動作Ａ＿１；ＹＥＳ）、当該要求メッセージで要求する情報は応答情報記憶部４に登録済みか否かを判断する（動作Ａ＿２）。登録されていなければ（動作Ａ＿２；ＮＯ）、制御部５は要求メッセージの内容（情報要求元および情報提供元のアドレスや要求情報の種類等）を保持して、当該要求メッセージを通信部２あるいは通信部３を通して情報提供元装置Ｎｘへ転送し、情報提供元装置Ｎｘからの応答により情報Ｘを受信する（動作Ａ＿３）。情報Ｘを受信すると、制御部５は情報Ｘを応答情報記憶部４に登録すると共に（動作Ａ＿４）、情報Ｘを情報要求元の通信装置Ｎｉへ送信する（動作Ａ＿５）。
【００１５】
要求メッセージで要求する情報Ｘが既に登録済みであれば（動作Ａ＿２；ＹＥＳ）、制御部５は応答情報記録部４に登録されている情報Ｘを読み出し（動作Ａ＿６）、読み出された情報Ｘを要求元通信装置Ｎｉからの要求に対する応答として通信装置Ｎｉへ送信する（動作Ａ＿５）。
【００１６】
上述したように、通信装置１は、既に登録されている情報と同じ情報を要求するメッセージが届くと、それを情報提供元へ転送することなく、登録している情報を当該要求に対する応答として情報要求元へ返信するので、要求メッセージに起因するネットワーク上のシグナリング発生を回避することができ、ネットワーク負荷を低減させることができる。
【００１７】
たとえば、通信装置１がゲートウェイ装置、通信装置Ｎ１〜Ｎｎが複数の無線基地局であると仮定する。この場合、ある無線基地局Ｎｉがゲートウェイ装置１を介して外部ネットワークＮＷのネットワーク情報、或いは他の無線基地局の宛先情報を取得する手順を実施した時、ゲートウェイ装置１が中継するメッセージからそれらの情報を抽出して応答情報記憶部４に登録する。他の無線基地局Ｎｊが同様の情報を取得しようとしていることを別のメッセージで検出すると、ゲートウェイ装置１はその手順を終端して応答情報記憶部４に登録した情報を基に応答メッセージを作成し、無線基地局Ｎｊに送信する。これにより、ノード間のシグナリングの数を削減できる。
【００１８】
なお、後述するように、送受信されるネットワーク情報には、情報提供元が定める有効期限情報、情報要求元が定める指定取得期間情報を付与し、用途に応じてそれらの期限情報を変更することで、中継するゲートウェイ装置１が上位へシグナリングを実施する場合としない場合とを分けることも可能である。
【００１９】
Ｂ．第２実施形態
本発明の第２実施形態によれば、情報提供元が定める提供情報に有効期限が付与され、有効期限を考慮して応答制御が行われる。ここで、有効期限とは、情報が有効である期間の満了時刻でもよいし、有効である期間（時間、日数など）でもよい。なお、図３において、図２に示す第１実施形態と同様の動作については同じ符号を付して説明は簡略化する。
【００２０】
図３に示すように、要求メッセージで要求する情報が応答情報記憶部４に登録されていない場合には（動作Ａ＿２；ＮＯ）、制御部５は当該要求メッセージを情報提供元装置Ｎｘへ転送し、情報提供元装置Ｎｘから当該要求された情報Ｘを取得する（動作Ａ＿３）。その際、情報Ｘに有効期限が付与されていれば（動作Ｂ＿１；ＹＥＳ）、そのまま有効期限付きの情報Ｘを応答情報記憶部４に登録する（動作Ａ＿４）。情報Ｘに有効期限が付与されていなければ（動作Ｂ＿１；ＮＯ）、通信装置１の制御部５が当該情報Ｘに有効期限を設定し（動作Ｂ＿２）、応答情報記憶部４に登録する（動作Ａ＿４）。
【００２１】
要求メッセージで要求する情報が応答情報記憶部４に登録されている場合には（動作Ａ＿２；ＹＥＳ）、制御部５は登録された情報の有効期限をチェックし（動作Ｂ＿３）、有効期限内であれば（動作Ｂ＿３；ＹＥＳ）、制御部５は応答情報記憶部４に登録されている情報Ｘを読み出し（動作Ａ＿６）、読み出された情報Ｘを要求元通信装置Ｎｉからの要求に対する応答として通信装置Ｎｉへ送信する（動作Ａ＿５）。その他の動作は、第１実施形態と同様であるから説明は省略する。なお、有効期限を満了した情報は、応答情報記憶部４から削除してもよい。情報を削除することで、制御部５は応答情報記憶部４に登録されているか否かをチェックするだけで情報を取得すべきかどうかを判断できる。
【００２２】
本発明の第２実施形態によれば、上述した第１実施形態と同様に、要求メッセージに起因するネットワーク上のシグナリング発生を回避することができるのでネットワーク負荷を低減させることができる。さらに、第２実施形態によれば、情報提供元が設定した情報の有効期限を過ぎた古い情報は要求元へ送付されないので、情報の鮮度を確保できるという利点がある。
【００２３】
Ｃ．第３実施形態
本発明の第３実施形態によれば、情報要求元が要求情報の取得期間を指定し、その指定期間を考慮して応答制御が行われる。なお、図４において、図２に示す第１実施形態と同様の動作については同じ符号を付して説明は簡略化する。
【００２４】
図４に示すように、通信装置から指定期間付きの要求メッセージを受け取り（動作Ｃ＿１；ＹＥＳ）、その要求される情報が応答情報記憶部４に登録されている場合には（動作Ａ＿２；ＹＥＳ）、制御部５は当該情報が指定された期間内に取得されたものであるか否かを判断し（動作Ｃ＿２）、指定期間内であれば（動作Ｃ＿２；ＹＥＳ）、応答情報記録部４に登録されている情報Ｘを読み出し（動作Ａ＿６）、読み出された情報Ｘを要求元通信装置Ｎｉへ送信する（動作Ａ＿５）。指定期間外であれば（動作Ｃ＿２；ＮＯ）、第１実施形態と同様に情報提供元装置Ｎｘから情報を取得する（動作Ａ＿３）。その他の動作は、第１実施形態と同様であるから説明は省略する。
【００２５】
本発明の第３実施形態によれば、上述した第１実施形態と同様に、要求メッセージに起因するネットワーク上のシグナリング発生を回避することができるのでネットワーク負荷を低減させることができる。さらに、第３実施形態によれば、情報要求元が指定した期間内の情報のみが応答されるので、情報要求元が希望する鮮度の情報のみが提供されるという利点がある。
【００２６】
以下、本発明の実施例について図面を参照しながら詳細に説明する。なお、上述した第１実施形態は下記第１実施例に、第２実施形態は下記第２実施例に、第３実施形態は下記第１９実施例にそれぞれ対応する。
【００２７】
１．第１実施例
本発明の第１実施例によれば、ゲートウェイ装置が無線基地局とコアネットワーク装置の間で送受信されるメッセージに含まれるネットワーク情報を抽出して保存し、別の無線基地局とコアネットワーク装置の間で実施される手順において同じ情報が必要となったときに保存したネットワーク情報を再利用する。これによりネットワーク内部でのシグナリング数を削減することができる。以下詳述する。
【００２８】
１．１）構成
図５に本実施例が適用されるネットワークの構成図を示す。無線基地局２０、３０をゲートウェイ装置１０が収容し、ゲートウェイ装置１０がコアネットワーク装置４０を介して外部ネットワーク５０へと接続しているものとする。なお、図５におけるゲートウェイ装置、無線基地局およびコアネットワーク装置には、通信を行うための送受信部、データを格納するための記憶部、およびデータ処理や制御を実行するための処理部がそれぞれ設けられているものとする。
【００２９】
１．２）システム動作
図６において、ゲートウェイ装置１０がネットワーク情報６０を保持していない場合、無線基地局２０はコアネットワーク装置４０にネットワーク情報６０を要求するメッセージをゲートウェイ装置１０に対して送信する（動作Ｓ１１）。
【００３０】
ゲートウェイ装置１０は、無線基地局２０がネットワーク情報６０を要求していることを検出すると、記憶部１３にネットワーク情報６０が存在しないことを確認し（動作Ｓ１２）、無線基地局２０からのネットワーク情報６０の要求をコアネットワーク装置４０に転送する（動作Ｓ１３）。
【００３１】
コアネットワーク装置４０は、外部ネットワーク５０にネットワーク情報６０を問合せ、ネットワーク情報６０を取得する（動作Ｓ１４）。コアネットワーク装置４０は、ネットワーク情報６０を含めた応答をゲートウェイ装置１０に返す（動作Ｓ１５）。
【００３２】
ゲートウェイ装置１０は、コアネットワーク装置４０からの応答に含まれるネットワーク情報６０を記憶部１３に登録し（動作Ｓ１６）、コアネットワーク装置４０からの応答を無線基地局２０へ転送する（動作Ｓ１７）。
【００３３】
図７において、ゲートウェイ装置１０がネットワーク情報６０を保持している場合、別の無線基地局３０がネットワーク情報６０の一部ないしは全部を要求する第１のメッセージをゲートウェイ装置１０に送信すると（動作Ｓ２１）、それを検知したゲートウェイ装置１０は記憶部１３の登録データから応答メッセージを生成する（動作Ｓ２２）。そして、ゲートウェイ装置１０は、コアネットワーク装置４０へはメッセージを転送することなく、ネットワーク情報６０の一部ないしは全部を含む第２のメッセージを無線基地局３０に応答メッセージとして送信する（動作Ｓ２３）。
【００３４】
１．３）効果
上述したように、本発明の第１実施例によれば、ゲートウェイ装置１０とコアネットワーク装置４０との間、コアネットワーク装置４０と外部ネットワーク５０の間で送受信されるメッセージが無くなるので、通信事業者のネットワーク内での通信負荷が大幅に軽減される。さらに、ゲートウェイ装置１０が無線基地局３０に対して早く応答メッセージを返すことができるので、無線基地局３０において実行中の処理をより早く完了させることができる。
【００３５】
２．第２実施例
ゲートウェイ装置１０に登録されるネットワーク情報は、保存されている間にネットワーク側で更新される可能性があるので、古い情報をできるだけ速やかに更新する必要がある。そこで、本発明の第２実施例ではネットワーク情報６０に有効期限が定められる。この有効期限は外部ネットワーク５０、コアネットワーク装置４０あるいはゲートウェイ装置１０により定めることができる。
【００３６】
２．１）構成
第２実施例が適用されるネットワークの構成図は図５と同じであるから説明は省略する。
【００３７】
２．２）動作
図８において、ゲートウェイ装置１０がネットワーク情報６０を保持していない場合、無線基地局２０が、コアネットワーク装置４０にネットワーク情報６０を要求するメッセージをゲートウェイ装置１０に対して送信する（動作Ｓ３１）。
【００３８】
ゲートウェイ装置１０は、無線基地局２０がネットワーク情報６０を要求していることを検出すると、記憶部１３にネットワーク情報６０が存在しないことを確認し（動作Ｓ３２）、無線基地局２０からのネットワーク情報６０の要求をコアネットワーク装置４０に転送する（動作Ｓ３３）。
【００３９】
コアネットワーク装置４０は外部ネットワーク５０にネットワーク情報６０を問合せ、外部ネットワーク５０によって有効期限が設定されたネットワーク情報６０を取得する（動作Ｓ３４）。なお、外部ネットワーク５０がネットワーク情報６０の有効期限を指定していない場合には、コアネットワーク装置４０がネットワーク情報６０の有効期限を設定してもよい（動作Ｓ３５）。続いて、コアネットワーク装置４０は、ネットワーク情報６０を含めた応答をゲートウェイ装置１０に返す（動作Ｓ３６）。
【００４０】
ネットワーク情報６０を含む応答を受信したゲートウェイ装置は、ネットワーク情報６０の有効期限が指定されていない場合には、ネットワーク情報６０の有効期限を設定することができる（動作Ｓ３７）。ゲートウェイ装置１０は、受信した応答に含まれるネットワーク情報６０を記憶部１３に登録し（動作Ｓ３８）、ネットワーク装置４０からの応答を無線基地局２０へ転送する（動作Ｓ３９）。
【００４１】
図９における動作Ｓ４０には、ゲートウェイ装置１０がネットワーク情報６０を保持しており、ネットワーク情報６０の有効期限が満了していない場合の動作を示す。無線基地局３０がネットワーク情報６０の一部ないしは全部を要求する第１のメッセージをゲートウェイ装置１０に送信したとする（動作Ｓ４１）。この場合、ゲートウェイ装置１０は、第１のメッセージを検知すると、ネットワーク情報６０の有効期限が満了していないことを確認し、記憶部１３の登録データから応答メッセージを生成する（動作Ｓ４２）。そして、ゲートウェイ装置１０は、要求メッセージをコアネットワーク装置４０へ送信することなく、ネットワーク情報６０の一部ないしは全部を含む第２のメッセージを無線基地局３０に応答メッセージとして送信する（動作Ｓ４３）。
【００４２】
図９における動作Ｓ５０には、ゲートウェイ装置１０がネットワーク情報６０を保持しており、そのネットワーク情報６０の有効期限が満了している場合の動作を示す。無線基地局３０がネットワーク情報６０の一部ないしは全部を要求する第１のメッセージをゲートウェイ装置１０に送信したとすと（動作Ｓ５１）、ゲートウェイ装置１０は、当該要求を検出してからネットワーク情報６０の有効期限が満了していることを確認する（動作Ｓ５２）。この場合には、既に述べたように、図８における動作Ｓ３３〜Ｓ３９の処理を実施する（動作Ｓ５３）。
【００４３】
ネットワーク情報６０の有効期限については、ネットワーク情報６０に含まれる情報要素の全て或いは一部に設定することができる。例えば、ネットワーク情報６０が、外部ネットワークにおける受信干渉電力や接続ユーザ数などのように時々刻々と変化する情報要素を含んでいる場合には、ネットワーク情報６０の中の該当する情報要素の有効期限の情報は短く設定される。一方、ネットワーク情報６０が、外部ネットワークにおける宛先アドレス情報やセルの固有情報などのように静的或いは準静的な情報要素を含む場合は、ネットワーク情報６０の中の該当する情報要素の有効期限は長く設定される。
【００４４】
有効期限がネットワーク情報６０の情報要素毎に設定される場合、図９に示す動作Ｓ４０あるいはＳ５０の手順は以下のいずれの手順で実施されてもよい。
【００４５】
無線基地局３０が要求しているネットワーク情報６０の一部ないしは全部の情報要素のうち、有効期限が設定されているものの全ての有効期限が満了していない場合にＳ４０の処理を実施する。
【００４６】
無線基地局３０が要求しているネットワーク情報６０の一部ないしは全部の情報要素のうち、有効期限が設定されているものの一部の有効期限が満了しており、有効期限が満了している情報要素が応答メッセージの必須パラメータでない場合、有効期限が満了している情報要素を応答メッセージには設定せずに、動作Ｓ４０の処理を実施する。
【００４７】
無線基地局３０が要求しているネットワーク情報６０の一部ないしは全部の情報要素のうち、有効期限が設定されているものの一部の有効期限が満了しており、有効期限が満了している情報要素が応答メッセージの必須パラメータあれば動作Ｓ５０の処理を実施する。
【００４８】
２．３）効果
上述したように、本発明の第２実施例によれば、情報毎に有効期限を設けているため、提供される情報の用途に応じて第１実施例の実施可否を決めることが出来る。
【００４９】
３．第３実施例
上述した非特許文献２ではHeNBとMMEの間にHeNB-GWというノードが存在してもよいと定義されている。HeNB-GWにてHeNBから受信するS1AP:ENB DIRECT INFORMATION TRANSFERとS1AP:ENB CONFIGURATION TRANSFERを中継する前にメッセージの宛先やそのメッセージで問い合わせている内容を確認し、既に別のHeNBが問い合わせていた情報をHeNB-GW内部の記憶部に保存している場合、HeNB-GWはメッセージをMMEに転送せずに記憶部の情報を元に応答メッセージを作成しS1AP:MME DIRECT INFORMATION TRANSFERやS1AP:MME CONFIGURATION TRANSFERとして問合せ元のHeNBに送信する。そうすることでMMEとE-UTRANの間、MMEとMMEの間、MMEとSGSNの間、SGSNとUTRAN/GERANの間で送受信するメッセージ数を削減しネットワークの負荷を減少させることが可能となる。
【００５０】
LTEシステムにおいて実施されるRIMの手順で、HeNB-GWが受信した情報を記憶部に保存し、同じ情報を要求された場合にその情報を再利用し、コアネットワーク装置にメッセージを送信することなく、直接HeNBにメッセージを折り返して送信することで通信事業者のネットワーク内部のシグナリング数を削減する。
【００５１】
３．１）構成
図１０に示すように、本発明の第３実施例を適用するネットワークでは、小型基地局（HeNB）２００および３００がHeNBゲートウェイ（HeNB-GW）１００に収容され、MME４００を介して外部ネットワーク５００と接続している。なお、図１０におけるHeNB、HeNB-GWおよびMMEには、通信を行うための送受信部、データを格納するための記憶部、およびデータ処理や制御を実行するための処理部がそれぞれ設けられているものとする。
【００５２】
３．２）動作
図１１に示すシーケンスにおいて、「ネットワーク情報６００」は3GPP TS48.018に規定されているGERAN /UTRANのネットワーク情報やSelf-organizing network(以下、SON)のようなRANに関する任意の情報、現在の３ＧＰＰで規定されていないCDMA2000（1xRTTやHRPD）やWireless LAN（ＷＬＡＮ）等の情報を指す。
【００５３】
図１１に示すように、HeNB-GW１００がネットワーク情報６００を保持していない場合には、HeNB２００は、S1AP:ENB DIRECT INFORMATION TRANSFERをHeNB-GW１００に送信する（動作Ｓ１１１）。このメッセージにはRAN-INFORMATION-REQUEST Application Containerが含まれており、この中には3GPP TS48.018で規定される以下の４つの要素やこれら以外の現在の3GPPで規定されないCDMA2000（1xRTTやHRPD）やWireless LANの情報のいずれか一つまたは複数が含まれうる。
RAN-INFORMATION-REQUEST Application Container for the NACC Application
RAN-INFORMATION-REQUEST Application Container for the SI3 Application
RAN-INFORMATION-REQUEST Application Container for the UTRA SI Application
RAN-INFORMATION-REQUEST Application Container for the SON Transfer Application
ここでは、同じメッセージに含まれるRAN-INFORMATION-REQUEST RIM PDU IndicationsのPDU Type Extension fieldに001(RAN-INFORMATION-REQUEST/Single Report PDU)が設定されている。
【００５４】
HeNB-GW１００は、受信したS1AP:ENB DIRECT INFORMATION TRANSFERからHeNB２００がネットワーク情報６００を要求していることを検出し、記憶部１０３にネットワーク情報６００が存在しないことを確認すると（動作Ｓ１１２）、S1AP:ENB DIRECT INFORMATION TRANSFERをMME４００に中継する（動作Ｓ１１３）。
【００５５】
MME４００は、外部ネットワーク５００へUTRAN/GERANのネットワーク情報６００を要求し（動作Ｓ１１４）、外部ネットワーク５００からUTRAN/GERANのネットワーク情報６００の応答を受信すると（動作Ｓ１１５）、ネットワーク情報６００を含めたS1AP:MME DIRECT INFORMATION TRANSFERをHeNB-GW１００へ送信する（動作Ｓ１１６）。ここでは、このメッセージに含まれるRAN-INFORMATION-REQUEST RIM PDU IndicationsのPDU Type Extension fieldに001(RAN-INFORMATION-REQUEST/Single Report PDU)が設定されている。
【００５６】
HeNB-GW１００はネットワーク情報６００を記憶部１０３に登録する（動作Ｓ１１７）。このネットワーク情報６００としては、無線基地局２００が動作Ｓ１１１で送信した要素に対応する3GPP TS48.018に記載されている以下の４つの要素や現在の３ＧＰＰで規定されていないCDMA2000（1xRTTやHRPD）やWireless LANの要素のうちの一つ或いは複数が含まれる。
RAN-INFORMATION Application Container for the NACC Application
RAN-INFORMATION Application Container for the SI3 Application
RAN-INFORMATION Application Container for the UTRA SI Application
RAN-INFORMATION Application Container for the SON Transfer Application
【００５７】
HeNB-GW１００はS1AP:MME DIRECT INFORMATION TRANSFERをHeNB２００に中継する（動作Ｓ１１８）。
【００５８】
図１２に示すように、HeNB-GW１００がネットワーク情報６００を保持している場合には、HeNB３００がS1AP:ENB DIRECT INFORMATION TRANSFERをHeNB-GW１００に送信する（動作Ｓ１２１）。HeNB３００がこのメッセージで要求していのは、HeNB２００が図１１における動作Ｓ１１１で要求したネットワーク情報６００の一部ないしは全部である。
【００５９】
HeNB-GW１００は、HeNB３００がネットワーク情報６００を要求していることを検出すると、記憶部１０３の登録データから応答メッセージを生成し（動作Ｓ１２２）、S1AP:MME DIRECT INFORMATION TRANSFERをHeNB３００に送信する（動作Ｓ１２３）。このメッセージにはHeNB３００が動作Ｓ１２１で要求したネットワーク情報６００の一部ないしは全部が含まれている。
【００６０】
３．３）効果
上述したように、本発明の第３実施例によれば、HeNB-GW１００とMME４００との間、MME４００と外部ネットワーク５００の間で送受信されるメッセージが無くなるので、通信事業者のネットワーク内での通信負荷が大幅に軽減される。
【００６１】
さらに、LTEシステムを利用するユーザの音声通信を従来のUTRANやGSMにて確立させる手順をCircuit Switched Fallback（以下、CS Fallback）と呼ぶ。このCS Fallback手順で使用するUTRANやGERANの移動先のセルのシステム情報を取得する手段の一つがRIM手順であり、このRIM手順がCS Fallback手順の中で実施される場合は本実施例を適用することでCS Fallback手順をより早く完了させることができる。
【００６２】
RRC_CONNECTED状態にあるユーザをGSMのセルへ移動させるNetwork Assisted Cell Change（以下、NACC）という手順において、移動先のセルのシステム情報を取得するためにRIM手順が使用されうる。RIM手順をNACC手順の最中に実行する場合、本実施例を適用することでNACCをより早く完了させることができる。
【００６３】
４．第４実施例
本発明の第４実施例によれば、LTEシステムにおいて実施されるTNL address discoveryの手順で、HeNB-GWが受信した情報を記憶部に保存し、同じ情報を要求された場合にその情報を再利用する。これによりコアネットワーク装置にメッセージを送信することなく、直接HeNBにメッセージを送信することで通信事業者のネットワーク内部のシグナリング数を削減することができる。TNLアドレスは、ここでは3GPP TS36.413の9.2.3.29 X2 TNL Configuration Infoで定義されているようなアドレス情報である。本実施例ではTNL address discovery手順を扱っているが、TNL address discovery手順で使用されるのと同じS1APメッセージに設定可能な情報要素である「時刻同期情報」をHeNB-GWが記憶する場合にも、本実施例は適用可能である。時刻同期情報とは、ここでは3GPP TS36.413の9.2.3.34 Time Synchronization Infoで定義されるストラタムレベルや同期状態といった情報である。
【００６４】
４．１）構成
本実施例の構成は、図１０に示す第３実施例と同じものであるから、説明は省略する。
【００６５】
４．２）動作
図１３に示すように、HeNB-GWがTNLアドレス７００を保持していない場合、HeNB２００は、S1AP:ENB CONFIGURATION TRANSFERをHeNB-GW１００に送信する（動作Ｓ２１１）。このメッセージにはSON Information Request(X2 TNL Configuration Info)が含まれており、HeNB２００はこのメッセージで(H)eNBのTNLアドレス７００を要求している。
【００６６】
HeNB-GW１００は、受信したS1AP:ENB CONFIGURATION TRANSFERからHeNB２００がTNLアドレス７００を要求していることを検出すると、記憶部１０３にTNLアドレス７００が存在しないことを確認し（動作Ｓ２１２）、S1AP:ENB CONFIGURATION TRANSFERをMME４００に中継する（動作Ｓ２１３）。
【００６７】
MME４００は、外部ネットワーク５００へ(H)eNBのTNLアドレス７００を要求する（動作Ｓ２１４）。ここではHeNB２００は、MME４００が管理していない(H)eNBのTNLアドレスを問い合わせるという状況を想定しているが、MME４００が管理する(H)eNBのTNLアドレスを問い合わせる場合はMME４００が直接(H)eNB へTNLアドレス７００を問い合わせる。
【００６８】
MME４００は、外部ネットワーク５００から(H)eNBのTNLアドレス７００の応答を受信する（動作Ｓ２１５）。ここではHeNB２００は、MME４００が管理していない(H)eNBのTNLアドレスを問い合わせるという状況を想定しているが、MME４００が管理する(H)eNBのTNLアドレスを応答する場合にはMME４００が直接(H)eNBに問い合わせた結果を受信する。MME４００は、HeNB-GW１００に対してTNLアドレス７００を含めたS1AP:MME CONFIGURATION TRANSFERを送信する（動作Ｓ２１６）。
【００６９】
HeNB-GW１００は、TNLアドレス７００を記憶部１０３に登録し（動作Ｓ２１７）、S1AP:MME CONFIGURATION TRANSFERをHeNB２００に中継する（動作Ｓ２１８）。
【００７０】
図１４に示すように、HeNB-GW１００がTNLアドレス７００を保持している場合、HeNB３００は、S1AP:ENB CONFIGURATION TRANSFERをHeNB-GW１００に送信する（動作Ｓ２２１）。HeNB３００がこのメッセージで要求しているのは、HeNB２００が図１３における動作Ｓ２１１で要求しているTNLアドレス７００の一部ないしは全部である。
【００７１】
HeNB-GW１００は、HeNB３００がTNLアドレス７００の一部ないしは全部を要求していることを検出すると、記憶部１０３の登録データから応答メッセージを生成する（動作Ｓ２２２）。そして、HeNB-GW１００は、S1AP:MME CONFIGURATION TRANSFERをHeNB３００に送信する（動作Ｓ２２３）。このメッセージにはHeNB３００が動作Ｓ２２１で要求したTNLアドレス７００の一部ないしは全部が含まれている。
【００７２】
４．３）効果
本発明の第４実施例によれば、HeNB-GW１００とMME４００との間、MME４００と外部ネットワーク５００の間で送受信されるメッセージが無くなることにより、通信事業者のネットワーク内での通信負荷が大幅に軽減される。HeNB-GW１００が、HeNB３００に対してTNL address discoveryの応答を早く返すことにより、HeNB３００がより早く(H)eNBとX2インタフェースを確立することが可能となる。またHeNB-GW１００が、HeNB３００に対してTime Synchronization Infoより早く返すことで、HeNB３００はより早くNetwork listeningを実施し、無線上の同期をとることが可能となる。
【００７３】
５．第５実施例
本発明の第５実施例によれば、HeNBのX2インタフェースを集約する機能を有するX2-GWという論理ノードが3GPP TR37.803で導入されている。N台の(H)eNBがX2APプロトコルのメッセージで通信する場合、このノードを導入するとN個のX2インタフェースが必要となるが、このノードが無ければｎC２個のX2インタフェースが必要となるため、(H)eNBの処理能力・資源の観点からこのノードを導入することは極めて有効であると言える。このノードを介して(H)eNBがリソースの使用状況の情報を交換する場合、X2-GWが情報を保存しておくことで同じ情報の問合せを受けた際にX2-GWが応答メッセージを作成して送信することで、通信事業者内部のシグナリングの数を削減する。以下ではリソースの使用状況の情報をResource Statusと呼ぶ。これは3GPP TS36.423の「9.1．2.14 RESOURCE STATUS UPDATE」に含まれているCell Measurement Resultに含まれる情報要素を指している。
【００７４】
５．１）構成
図１５に示すように、本発明の第５実施例が適用されるネットワークでは、HeNB２００、HeNB３００、(H)eNB８００がX2-GW１２０に収容されているものとする。
【００７５】
５．２）動作
図１６に示すように、X2-GW１２０が(H)eNB８００のResource Status６２０を保持していない状態でHeNB２００からの問い合わせ手順が成功する場合、HeNB２００は、X2AP:RESOURCE STATUS REQUESTを(H)eNB８００に対して送信する（動作Ｓ３１１）。このメッセージを中継するX2-GW１２０がこのメッセージを受信する。HeNB２００はこのメッセージで(H)eNB８００のResource status６２０を要求している。
【００７６】
X2-GW１２０はX2AP:RESOURCE STATUS REQUESTを(H)eNB８００に中継し（動作Ｓ３１２）、(H)eNB８００はX2AP:RESOURCE STATUS RESPONSEをHeNB２００に対して送信する（動作Ｓ３１３）。このメッセージを受信すると、X2-GW１２０はX2AP:RESOURCE STATUS RESPONSEをHeNB２００に中継する（動作Ｓ３１４）。
【００７７】
(H)eNB８００がX2AP:RESOURCE STATUS UPDATEを送信する条件が満たされた場合（Ｓ３１５）、(H)eNB８００は、X2AP:RESOURCE STATUS UPDATEをX2-GW１２０に送信する（動作Ｓ３１６）。X2-GW１２０は、(H)eNB８００から受信したX2AP:RESOURCE STATUS UPDATEに含まれるResource Status６２０を記憶部１０３に登録し（動作Ｓ３１７）、X2AP:RESOURCE STATUS UPDATEをHeNB２００へ中継する（動作Ｓ３１８）。
【００７８】
図１７に示すように、(H)eNB８００のResource Statusの問合せ手順の成功後に、HeNB３００から(H)eNB８００のResource Status６２０を要求された場合、HeNB３００は、X2AP:RESOURECE STATUS REQUESTを(H)eNB８００に対して送信する（動作Ｓ３２１）。X2インタフェースを集約するX2-GW１２０がこのメッセージを受信する。HeNB３００がこのメッセージで要求している情報は図１６における動作Ｓ３１１でHeNB２００が要求しているResource Status６２０の一部ないしは全部であるものとする。
【００７９】
X2-GW１２０は、HeNB３００が(H)eNB８００のResource Status６２０の一部ないしは全部を要求していることを検出すると、記憶部１０３の登録データから応答メッセージを生成し（動作Ｓ３２２）、X2AP:RESOURCE STATUS RESPONSEをHeNB３００へ送信する（動作Ｓ３２３)。
【００８０】
動作Ｓ３２３のX2AP:RESOURECE STATUS RESPONSEで通知したResource Status６２０の一部ないしは全部が更新されたことをX2-GW１２０が検出した場合（動作Ｓ３２４）、X2-GW１２０は、更新されたResource Status６２０の一部ないしは全部を含むX2AP:RESOURCE STATUS UPDATEをHeNB３００へ送信する（動作Ｓ３２５）。なお、X2-GW１２０は、過去に(H)eNB８００のResource status６２０を要求してきたHeNB（本実施形態においては、図１６のHeNB２００）を記憶しておくこととしても良い。そして、X2-GW１２０は、過去に(H)eNB８００のResource status６２０を要求してきたHeNBに対しても、動作Ｓ３２５におけるX2AP:RESOURCE STATUS UPDATEメッセージを送信することとしても良い。
【００８１】
５．３）効果
上述したように、本発明の第５実施例によれば、通信事業者のネットワーク内部でのX2AP：RESOURCE STATUS REQUESTとX2AP:RESOURCE STATUS RESPONSEのメッセージ数が削減されるのでネットワークの負荷を減少させることができる。また、X2-GW１２０が、Resource Statusの応答をHeNB３００により早く返すことにより、HeNB３００で負荷分散処理をより早く実行でき、新規の呼が受け付けられないという事態を回避することができる。
【００８２】
６．第６実施例
上記第５実施例では、X2AP:RESOURCE STATUS REQUESTとこれに対応するX2AP:RESOURCE STATUS RESPONSEを削減するものであったが、本発明の第６実施例では、X2AP:RESOURCE STATUS REQUESTとこれに対応するX2AP:RESOURCE STATUS FAILUREを削減する。以下ではX2AP:RESOURCE STATUS FAILUREに含まれる失敗情報をHeNB-GWが記憶して再利用する。ここで、失敗情報とは3GPP TS36.423の「9.1.2.13 RESOURCE STATUS FAILURE」のCauseやCriticality Diagnostics、Complete Failure Cause Information Itemのことである。
【００８３】
６．１）構成
第６実施例が適用されるネットワークの構成は図１５に示す第５実施例と同じであるから、説明は省略する。
【００８４】
６．２）動作
図１８において、X2-GW１２０が(H)eNB８００の失敗情報６３０を保持していない状態で、HeNB２００からのResource Status６２０の問い合わせ手順が失敗した場合を動作Ｓ３３０に示す。HeNB２００は、X2AP:RESOURCE STATUS REQUESTを(H)eNB８００に対して送信する（動作Ｓ３３１）。このメッセージを受信すると、X2-GW１２０はX2AP:RESOURCE STATUS REQUESTを(H)eNB８００に中継する（動作Ｓ３３２）。
【００８５】
(H)eNB８００はX2AP:RESOURCE STATUS FAILUREをHeNB２００に対して送信した場合、（動作Ｓ３３３）。このメッセージを受信したX2-GW１２０は、X2AP:RESOURCE STATUS FAILUREで受信した失敗情報６３０を記憶部１２３に登録し（動作Ｓ３３４）、X2AP:RESOURCE STATUS FAILUREをHeNB２００へ中継する（動作Ｓ３３５）。
【００８６】
(H)eNB８００のResource Statusの問合せ手順の失敗後に、HeNB３００から(H)eNB８００のResource Status６２０を要求された場合を動作Ｓ３４０に示す。HeNB３００は、X2AP:RESOURECE STATUS REQUESTを(H)eNB８００に対して送信し、X2インタフェースを集約するX2-GW１２０がこのメッセージを受信する（動作３４１）。HeNB３００がこのメッセージで要求するのは、HeNB２００が動作Ｓ３３１で要求したResource Status６２０の一部または全部であるものとする。
【００８７】
X2-GW１２０は、HeNB３００が(H)eNB８００のResource Status６２０を要求していることを検出すると、記憶部１２３の失敗情報６３０を用いて応答メッセージを生成し（動作Ｓ３４２）、X2AP:RESOURCE STATUS FAILUREをHeNB３００へ送信する（動作Ｓ３４３)。
【００８８】
６．３）効果
本発明の第６実施例によれば、通信事業者のネットワーク内部でのX2AP：RESOURCE STATUS REQUESTとX2AP:RESOURCE STATUS FAILUREのメッセージ数が削減されるのでネットワークの負荷を減少させることができる。
【００８９】
７．第７実施例
本発明の第７実施例では、HNBを収容するHNB-GWにおいて、HNBとコアネットワークの間で送受信されるメッセージに含まれる情報をHNB-GWの記憶部に格納し、同じ情報の問合せを受けた際に再利用することで通信事業者のネットワーク内部の通信負荷を抑制する。    
【００９０】
７．１）構成
図１９に示すように、第７実施例が適用されるネットワークでは、HNB２１０とHNB３１０がそれぞれIuhインタフェースでHNB-GW１１０と接続され、HNB-GW１１０とコアネットワーク４１０はIuインタフェースで接続されているものとする。
【００９１】
７．２）動作
図２０において、HNB２１０が要求しうる次のいずれかの情報をHNB-GW１１０が保持していない場合：Requested MBMS IP MC Address and APN、Requested MC Service（Ｓ４３０）、HNB２１０がHNB-GW１１０にRUA:CONNECTIONLESS TRANSFERを送信したとする（動作Ｓ４３１）。このメッセージにはRANAP:UPLINK INFORMATION EXCHANGE REQUEST(Information Exchange Type=’request’)が含まれている。
【００９２】
HNB-GW１１０は、HNB２１０が要求している情報が記憶部１１３に存在しないことを確認すると（動作Ｓ４３２）、RANAP:UPLINK INFORMATION EXCHANGE REQUESTをコアネットワーク４１０に送信し（動作Ｓ４３３）、RANAP:UPLINK INFORMATION EXCHANGE RESPONSEをコアネットワーク４１０から受信する（動作Ｓ４３４）。続いて、HNB-GW１１０は、HNB２１０が要求した情報を記憶部１１３に登録し（動作Ｓ４３５）、RUA:CONNECTIONLESS TRANSFERをHNB２１０へ送信する（動作Ｓ４３６）。このメッセージにはRANAP:UPLINK INFORMATION EXCHANGE RESPONSEが含まれている。
【００９３】
また、HNB３１０が要求しうる次のいずれかの情報のうち、該当するものをHNB-GW１１０が保持している場合：Requested MBMS IP MC Address and APN、Requested MC Service（Ｓ４４０）、HNB３１０がHNB-GW１１０にRUA:CONNECTIONLESS TRANSFERを送信したとする（動作Ｓ４４１）。このメッセージで要求する情報はＳ４３１で要求した情報の一部ないしは全部であるものとする。
【００９４】
HNB-GW１１０は、HNB３１０が要求している情報が記憶部１１３に存在することを確認すると、登録されたデータを基に応答メッセージを生成し（動作Ｓ４４２）、RUA：CONNECTIONLESS TRANSFERをHNB３１０に送信する（動作Ｓ４４３）。
【００９５】
７．３）効果
本発明の第７実施例によれば、HNB-GW１１０とコアネットワーク４１０の間のシグナリングを無くすことで通信事業者ネットワーク内部の通信負荷を軽減できる。また、HNB-GW１１０がHNB３１０により早く応答を返すことで、HNB３１０において実施中の処理をより早く完了させることが可能となる。
【００９６】
８．第８実施例
本発明の第８実施例では、RIM手順において、あるHNBが問い合わせた内容をHNB-GWが記憶部に登録し、他のHNBが同じ情報を要求した場合にその情報を用いて応答メッセージを作成し送信することでネットワーク内部の通信負荷を削減する。
【００９７】
８．１）構成
第８実施例を適用できるネットワークの構成は図１９に示す通りであるから、説明は省略する。
【００９８】
８．２）動作
図２１に示すように、HNB-GW１１０がネットワーク情報６００を保持していない場合、HNB２１０がRUA:CONNECTIONLESS TRANSFERをHNB-GW１１０に送信したとする（動作Ｓ４５１）。このメッセージにはRANAP:DIRECT INFORMATION TRANSFERが含まれている。このメッセージの中にはRAN-INFORMATION-REQUEST Application Containerが含まれており、この中に含まれる情報要素で問い合わされている対象をここではネットワーク情報６００と呼ぶ。ネットワーク情報６００には3GPP TS48.018で規定される以下の４つの要素やこれら以外の現在の３ＧＰＰで規定されないCDMA2000（1xRTTやHRPD）やWireless LANの情報のいずれか一つまたは複数が含まれうる。
RAN-INFORMATION-REQUEST Application Container for the NACC Application
RAN-INFORMATION-REQUEST Application Container for the SI3  pplication
RAN-INFORMATION-REQUEST Application Container for the UTRA SI Application
RAN-INFORMATION-REQUEST Application Container for the SON Transfer Application
【００９９】
ここでは、同じメッセージに含まれるRAN-INFORMATION-REQUEST RIM PDU IndicationsのPDU Type Extension fieldに001(RAN-INFORMATION-REQUEST/Single Report PDU)が設定されている。
【０１００】
HNB-GW１１０は、受信したRUA:CONNECTIONLESS TRANSFERからHNB２１０がネットワーク情報６００を要求していることを検出すると、記憶部１１３にネットワーク情報６００が存在しないことを確認し（動作Ｓ４５２）、RANAP:DIRECT INFORMATION TRANSFERをコアネットワーク４１０に送信する（動作Ｓ４５３）。
【０１０１】
コアネットワーク４１０は、RANAP:DIRECT INFORMATION TRANSFERを受信すると、外部ネットワーク５１０へネットワーク情報６００を要求し（動作Ｓ４５４）、外部ネットワーク５１０からネットワーク情報６００を取得する（動作Ｓ４５５）。そして、コアネットワーク４１０は、ネットワーク情報６００を含めたRANAP:DIRECT INFORMATION TRANSFERを送信する（動作Ｓ４５６）。ここでは、このメッセージに含まれるRAN-INFORMATION-REQUEST RIM PDU IndicationsのPDU Type Extension fieldに001(RAN-INFORMATION-REQUEST/Single Report PDU)が設定されている。
【０１０２】
HNB-GW１１０は、RANAP:DIRECT INFORMATION TRANSFERを受信すると、そこに含まれるネットワーク情報６００を記憶部１１３に登録し（動作Ｓ４５７）、RANAP:DIRECT INFORMATION TRANSFERを含めたRUA:CONNECTIONLESS TRANSFERを無線基地局２００に送信する（動作Ｓ４５８）。このネットワーク情報６００としては、無線基地局２００が動作Ｓ４５１で送信した要素に対応する3GPP TS48.018に記載されている以下の４つの要素や現在の３ＧＰＰで規定されていないCDMA2000（1xRTTやHRPD）やWireless LANの要素のうちの一つ或いは複数が含まれる。
RAN-INFORMATION Application Container for the NACC Application
RAN-INFORMATION Application Container for the SI3 Application
RAN-INFORMATION Application Container for the UTRA SI Application
RAN-INFORMATION Application Container for the SON Transfer Application
【０１０３】
図２２に示すように、HNB-GW１１０がネットワーク情報６００を保持している場合に、HNB３１０がRUA:CONNECTIONLESS TRANSFERをHNB-GW１１０に送信するものとする（動作Ｓ４６１）。HNB３１０がこのメッセージで要求するのは、HNB２００が図２１における動作Ｓ４５１で要求したネットワーク情報６００の一部ないしは全部であるものとする。
【０１０４】
HNB-GW１１０は、HNB３１０がネットワーク情報６００の一部ないしは全部を要求していることを検出すると、記憶部１１３の登録データから応答メッセージを生成し（動作Ｓ４６２）、RUA:CONNECTIONLESS TRANSFERをHNB３１０に送信する（動作Ｓ４６３）。
【０１０５】
８．３）効果
本発明の第８実施例によれば、HNB-GW１１０とコアネットワーク４１０の間で送受信されるRANAP:DIRECTINFORMATION TRANSFERとコアネットワーク４１０と外部ネットワーク５１０の間で送受信されるメッセージを無くすことにより、通信事業者のネットワーク内部での通信負荷を軽減できる。
【０１０６】
また、ユーザをGSMのセルへ移動させるNetwork Assisted Cell Change（以下、NACC）という手順において、移動先のセルのシステム情報を取得するためにRIM手順が使用されうる。RIM手順をNACC手順の最中に実行する場合、本実施例を適用することでNACCをより早く完了させることができる。
【０１０７】
９．第９実施例
本発明の第９実施例では、HNB同士がHNB-GWを介してIurhというインタフェースを介して接続される場合に、HNBとHNB-GWの間で送受信されるRNA:DIRECT TRANSFERのネットワーク情報をHNB-GWの記憶部に保存し、他のHNBから同じネットワーク情報を要求された場合、保存していたネットワーク情報を再利用して応答メッセージを作成し送信することでネットワークの負荷を軽減する。ここでネットワーク情報とはTS25.423のRNSAP:INFORMATION EXCHANGE INITIATION RESPONSEのメッセージに定義される情報要素である。
【０１０８】
ここではHNBとHNB-GWの間でやりとりされるメッセージの削減に注目するが、HNB-GWとRadio Network Controller(以下、RNC)の間がIurインタフェースで接続される場合にもRNSAPプロトコルが使用されるため、同様の手順が適用できる。
【０１０９】
９．１）構成
図２３に示すように、本発明の第９実施例の適用されるネットワークでは、Iurhインタフェースを介してHNB２１０、HNB３１０およびHNB８１０がそれぞれ接続され、HNB-GW１１０がIurhインタフェースを中継しているものとする。
【０１１０】
９．２）動作
図２４に示すように、HNB-GW１１０がHNB８１０のネットワーク情報６１０を保持せず、HNB８１０がネットワーク情報を要求される場合、HNB２１０がRNA:DIRECT TRANSFERをHNB-GW１１０に送信したとする（動作５１１）。このメッセージにはRNSAP:INFORMATION EXCHANGE INITIATION REQUESTが含まれており、このメッセージでHNB８１０のネットワーク情報６１０を要求している。
【０１１１】
HNB-GW１１０は、RNA:DIRECT TRANSFER を受信すると、RNA:DIRECT TRANSFERをHNB８１０へ中継し（動作Ｓ５１２）、それを受けてHNB８１０は、RNA:DIRECT TRANSFERをHNB-GW１１０へ送信する（動作Ｓ５１３）。このメッセージにはRNSAP:INFORMATION EXCHANGE INITIATION RESPONSEが含まれている。
【０１１２】
HNB-GW１１０は、RNSAP:INFORMATION EXCHANGE INITIATION RESPONSEに含まれるHNB８１０のネットワーク情報６１０を記憶部１１３へ登録し（動作Ｓ５１４）、RNA:DIRECT TRANSFERをHNB２１０へ送信する（動作Ｓ５１５）。このメッセージにはRNSAP:INFORMATION EXCHANGE INITIATION RESPONSEが含まれている。
【０１１３】
動作Ｓ５１１でInformation Report Characteristics=‘Periodic’または‘On Modification’である場合（Ｓ５１６）、HNB８１０がHNB-GW１１０にRNA:DIRECT TRANSFERを送信したとする（動作Ｓ５１７）。このメッセージはRNSAP:INFORMATION REPORTを含んでおり、この中には動作Ｓ５１３のRNSAP:INFORMATION EXCHANGE INITIATION RESPONSEに含まれるネットワーク情報６１０の一部または全部が含まれるものとする。
【０１１４】
HNB-GW１１０は、RNSAP:INFORMATION REPORTに含まれるネットワーク情報６１０の一部または全部を記憶部１１３に登録し（動作Ｓ５１８）、RNA:DIRECT TRANSFERをHNB３１０に中継する（動作Ｓ５１９）。
【０１１５】
図２５に示すように、HNB-GW１１０がHNB８１０のネットワーク情報６１０を保持している状況でHNB３１０がHNB８１０のネットワーク情報６１０を要求したとする。この場合、HNB３１０はRNA:DIRECT TRANSFERをHNB-GW１１０へ送信する。HNB３１０がこのメッセージで要求している情報は、HNB２１０が図２４における動作Ｓ５１１で要求したネットワーク情報６１０の一部ないしは全部であるものとする。
【０１１６】
HNB-GW１１０は、HNB３１０がHNB８１０のネットワーク情報６１０の一部ないしは全部を要求していることを検出すると、記憶部１１３のネットワーク情報６１０から応答メッセージを生成し（動作Ｓ５２２）、RNA:DIRECT TRANSFERをHNB３１０へ送信する（動作Ｓ５２３）。
【０１１７】
動作Ｓ５２１でInformation Report Characteristics=‘Periodic’または‘On Modification’となっている場合（Ｓ５２４）、HNB-GW１１０は所定のタイミングでRNA:DIRECT TRANSFERをHNB３１０に送信する（動作Ｓ５２５）。このメッセージには更新されたネットワーク情報６１０の一部ないしは全部が含まれる。なお、HNB-GW１１０は、過去にHNB８１０のネットワーク情報６１０を要求してきたHNB（本実施形態においては、図２４のHNB２１０）を記憶しておくこととしても良い。そして、HNB-GW１１０は、過去にHNB８１０のネットワーク情報６１０を要求してきたHNBに対しても、動作Ｓ５２５におけるRNA:DIRECT TRANSFERメッセージを送信することとしても良い。
【０１１８】
９．３）効果
本発明の第９実施例によれば、HNBとHNB-GWの間で送受信されるRNA:DIRECT TRANSFERの数を削減することで通信事業者のネットワーク内部のシグナリングを削減することができる。また、HNB-GWがHNBに対してより早く応答を返すことにより、HNBで実行中の処理をより早く完了させることができる。
【０１１９】
１０．第１０実施例
上述した第９実施例では、HNBから送信するRNA:DIRECT TRANSFER(RNASAP:INFORMATION EXCHANGE INITIATION REQUEST)とそれに対する応答としてHNB-GWから送信されるRNA:DIRECT TRANSFER(RNSAP:INFORMATION EXCHANGE INITIATION RESPONSE)を削減するものであった。これに対して、本発明の第１０実施例では、HNBから送信するRNA:DIRECT TRANSFER(RNSAP:INFORMATION EXCHANGE INITIATION REQUEST)とそれに対応するRNA:DIRECT TRANSFER(RNSAP:INFORMATION EXCHANGE INITIATION FAILURE)を削減する。
【０１２０】
１０．１）構成
第１０実施例を適用するネットワークの構成は、既に説明したように、図２３に示す通りであるから説明は省略する。
【０１２１】
１０．２）動作
図２６に、HNB-GWがHNB８１０のネットワーク情報６１０を保持せず、HNB２１０からの要求が拒絶される場合（動作Ｓ５３０）を示す。HNB２１０はRNA:DIRECT TRANSFERをHNB-GW１１０に送信する（動作Ｓ５３１）。このメッセージにはRNSAP:INFORMATION EXCHANGE INITIATION REQUESTが含まれており、このメッセージでHNB８１０のネットワーク情報６１０を要求している。HNB-GW１１０は、RNA:DIRECT TRANSFERをHNB８１０へ中継し（動作Ｓ５３２）、HNB８１０は、RNA:DIRECT TRANSFERをHNB-GW１１０へ送信する（動作Ｓ５３３）。このメッセージにはRNSAP:INFORMATION EXCHANGE INITIATION FAILUREが含まれている。続いて、HNB-GW１１０は、RNSAP:INFORMATION EXCHANGE INITIATION FAILUREに含まれるHNB８１０の失敗情報６３０を記憶部１１３へ登録すると（動作Ｓ５３４）、RNA:DIRECT TRANSFERをHNB２１０へ送信する（動作Ｓ５３５）。このメッセージにはRNSAP:INFORMATION EXCHANGE INITIATION FAILUREが含まれている。
【０１２２】
また、図２６に、HNB-GW１１０がHNB８１０の失敗情報６３０を保持している状況で、HNB３１０からHNB８１０のネットワーク情報６１０が要求された場合（動作Ｓ５４０）を示す。この場合、HNB３１０は、RNA:DIRECT TRANSFERをHNB-GW１１０へ送信する（動作Ｓ５４１）。HNB３１０がこのメッセージで要求している情報は、HNB２１０がS５３１で要求するネットワーク情報６１０の一部ないしは全部である。
【０１２３】
HNB-GW１１０は、HNB３１０がHNB８１０のネットワーク情報６１０を要求していることを検出すると、記憶部１１３の失敗情報６３０から応答メッセージを生成し（動作Ｓ５４２）、RNA:DIRECT TRANSFERをHNB３１０へ送信する（動作Ｓ５４３）。
【０１２４】
１０．３）効果
本発明の第１０実施例によれば、HNBから送信するRNA:DIRECT TRANSFER(RNSAP:INFORMATION EXCHANGE INITIATION REQUEST)とそれに対応するRNA:DIRECT TRANSFER(RNSAP:INFORMATION EXCHANGE INITIATION FAILURE)を削減することで通信事業者のネットワーク内部の通信負荷を削減する。
【０１２５】
１１．第１１実施例
本発明の第１１実施例によれば、あるHNBのネットワーク情報を要求した全てのHNBが、ネットワーク情報の要求を終了した場合、ネットワーク情報に有効期限が設定されているならその有効期限が満了するまでネットワーク情報を保存し、有効期限が設定されていないなら即座にネットワーク情報を破棄する。有効期限が設定されている場合にはHNBとHNB-GWの間のメッセージを省くことで、通信事業者のネットワーク内部の負荷を低減する。
【０１２６】
１１．１）構成
第１１実施例を適用するネットワークの構成は上述した図２３に示す通りであるから、説明は省略する。
【０１２７】
１１．２）動作
図２７において、HNB２１０がHNB８１０のネットワーク情報６１０の要求を終了する場合（動作Ｓ５５０）を示す。この場合、HNB２１０は、RNA:DIRECT TRANSFERをHNB-GW１１０に送信する（動作Ｓ５５１）。このメッセージにはRNSAP:INFORMATION EXCHANGE TERMINATION REQUESTが含まれており、HNB２１０はこのメッセージでHNB８１０のネットワーク情報６１０の要求を終了することを意図している。ここではHNB２１０のみがHNB８１０のネットワーク情報を要求しているものとする。
【０１２８】
HNB-GW１１０はRNA:DIRECT TRANSFERをHNB８１０へ中継する（動作Ｓ５５２）。さらに、HNB-GW１１０は、HNB８１０のネットワーク情報６１０を要求している全てのHNBがネットワーク情報６１０の要求を終了したことを検出すると、HNB８１０のネットワーク情報６１０を記憶部１１３に保存していれば、それを有効期限が満了するまで保持し、有効期限がなければ即座に破棄する（動作Ｓ５５３)。
【０１２９】
HNB２１０がHNB８１０のネットワーク情報の要求を終了後にHNB３１０からHNB８１０のネットワーク情報６１０を要求された場合（Ｓ５６０)、ネットワーク情報６１０の有効期限があれば、有効期限が満了するまでは動作Ｓ５２０の処理を実施し、有効期限満了後は動作Ｓ５１０の処理を実施する。有効期限が無い場合には動作Ｓ５１０の処理を実施する（動作Ｓ５６１）。
【０１３０】
１１．３）効果
本発明の第１１実施例によれば、HNB２１０がネットワーク情報６１０の要求を終了した後も、ネットワーク情報６１０の有効期限が満了するまでの間は、HNB３１０とHNB-GW１１０の間のメッセージを省略できてネットワーク内部の通信負荷を軽減できる。
【０１３１】
１２．第１２実施例
本発明の第１２実施例によれば、HNB同士がHNB-GWを介してIurhというインタフェースを介して接続される場合に、HNBとHNB-GWの間で送受信されるRNA:DIRECT TRANSFERのネットワーク情報をHNB-GWの記憶部に保存し、他のHNBから同じネットワーク情報を要求された場合に保存していた情報を再利用して応答メッセージを作成し送信することでネットワークの負荷を軽減する。ここでネットワーク情報とは3GPP TS25.423のRNSAP:COMMON MEASUREMENT INITIATION RESPONSEのメッセージに設定されうる情報要素である。
【０１３２】
１２．１）構成
第１２実施例を適用するネットワークの構成は上述した図２３に示す通りであるから、説明は省略する。
【０１３３】
１２．２）動作
図２８に示すように、HNB-GW１１０がHNB８１０のネットワーク情報６１０を保持せず、HNB８１０がネットワーク情報を要求される場合、HNB２１０は、RNA:DIRECT TRANSFERをHNB-GW１１０に送信する（動作Ｓ５７１）。このメッセージにはRNSAP:COMMON MEASUREMENT INITIATION REQUESTが含まれており、このメッセージでHNB８１０のネットワーク情報６１０を要求している。
【０１３４】
HNB-GW１１０はRNA:DIRECT TRANSFERをHNB８１０へ中継し（動作Ｓ５７２）、HNB８１０はRNA:DIRECT TRANSFERをHNB-GW１１０へ送信する（動作Ｓ５７３）。このメッセージにはRNSAP:COMMON MEASUREMENT INITIATION RESPONSEが含まれている。
【０１３５】
HNB-GW１１０は、RNSAP:COMMON MEASUREMENT INITIATION RESPONSEに含まれるHNB８１０のネットワーク情報６１０を記憶部１１３へ登録すると（動作Ｓ５７４）、RNA:DIRECT TRANSFERをHNB２１０へ送信する（動作Ｓ５７５）。このメッセージにはRNSAP:COMMON MEASUREMENT INITIATION RESPONSEが含まれている。
【０１３６】
動作Ｓ５７１でInformation Report Characteristics=‘Periodic’または‘On Modification’である場合（Ｓ５７６）、HNB８１０がHNB-GW１１０にRNA:DIRECT TRANSFERを送信したとする（動作Ｓ５７７）。このメッセージはRNSAP:COMMON MEASUREMENT REPORTを含んでおり、この中には動作Ｓ５７３のRNSAP:INFORMATION EXCHANGE INITIATION RESPONSEに含まれるネットワーク情報６１０の一部または全部が含まれるものとする。
【０１３７】
HNB-GW１１０は、RNSAP:COMMON MEASUREMENT REPORTに含まれるネットワーク情報６１０の一部または全部を記憶部１１３に登録し（動作Ｓ５７８）、RNA:DIRECT TRANSFERをHNB３１０に中継する（動作Ｓ５７９）。
【０１３８】
図２９に、HNB-GW１１０がHNB８１０のネットワーク情報６１０を保持している状況で、HNB３１０からHNB８１０のネットワーク情報６１０を要求された場合を示す。この場合、HNB３１０は、RNA:DIRECT TRANSFERをHNB-GW１１０へ送信する（動作Ｓ５８１）。HNB３１０がこのメッセージで要求している情報は、HNB２１０が図２９における動作Ｓ５７１で要求するネットワーク情報６１０の一部ないしは全部であるものとする。
【０１３９】
HNB-GW１１０は、HNB３１０がHNB８１０のネットワーク情報６１０を要求していることを検知すると、記憶部１１３のネットワーク情報６１０から応答メッセージを生成し（動作Ｓ５８２）、RNA:DIRECT TRANSFERをHNB３１０へ送信する（動作Ｓ５８３）。
【０１４０】
動作Ｓ５８１でInformation Report Characteristics=‘Periodic’または‘On Modification’となっている場合（Ｓ５８４）、HNB-GW１１０は所定のタイミングでRNA:DIRECT TRANSFERをHNB３１０に送信する（動作Ｓ５８５）。このメッセージには更新されたネットワーク情報６１０の一部ないしは全部が含まれる。なお、HNB-GW１１０は、過去にHNB８１０のネットワーク情報６１０を要求してきたHNB（本実施形態においては、図２８のHNB２１０）を記憶しておくこととしても良い。そして、HNB-GW１１０は、過去にHNB８１０のネットワーク情報６１０を要求してきたHNBに対しても、動作Ｓ５８５におけるRNA:DIRECT TRANSFERメッセージを送信することとしても良い。
【０１４１】
１２．３）効果
本発明の第１２実施例によれば、HNBとHNB-GWの間で送受信されるRNA:DIRECT TRANSFERの数を削減することで通信事業者のネットワーク内部のシグナリングを削減することができる。HNB-GW１１０がHNB３１０により早く応答を返すことで、HNB３１０において実施中の処理をより早く完了させることが可能となる。
【０１４２】
１３．第１３実施例
上述した第１２実施例ではHNBから送信するRNA:DIRECT TRANSFER(RNASAP:COMMON MEASUREMENT INITIATION REQUEST)とそれに対する応答としてHNB-GWから送信されるRNA:DIRECT TRANSFER(RNSAP:COMMON MEASUREMENT INITIATION RESPONSE)を削減するものであった。これに対して、本発明の第１３実施例では、HNBから送信するRNA:DIRECT TRANSFER(RNSAP:COMMON MEASUREMENT INITIATION REQUEST)とそれに対応するRNA:DIRECT TRANSFER(RNSAP:COMMON MEASUREMENT INITIATION FAILURE)を削減する。
【０１４３】
１３．１）構成
第１３実施例を適用するネットワークの構成は上述した図２３に示す通りであるから、説明は省略する。
【０１４４】
１３．２）動作
図３０に、HNB-GWがHNB８１０のネットワーク情報６１０を保持せず、HNB２１０からの要求が拒絶される場合（動作Ｓ５９０）を示す。この場合、HNB２１０は、RNA:DIRECT TRANSFERをHNB-GW１１０に送信する（動作Ｓ５９１）。このメッセージにはRNSAP:COMMON MEASUREMENT INITIATION REQUESTが含まれており、このメッセージでHNB８１０のネットワーク情報６１０を要求している。HNB-GW１１０はRNA:DIRECT TRANSFERをHNB８１０へ中継し（動作Ｓ５９２）、HNB８１０はRNA:DIRECT TRANSFERをHNB-GW１１０へ送信する（動作Ｓ５９３）。このメッセージにはRNSAP:COMMON MEASUREMENT INITIATION FAILUREが含まれている。
【０１４５】
HNB-GW１１０は、RNSAP:COMMON MEASUREMENT INITIATION FAILUREに含まれるHNB８１０の失敗情報６３０を記憶部１１３へ登録し（動作Ｓ５９４）、RNA:DIRECT TRANSFERをHNB２１０へ送信する（動作Ｓ５９５）。このメッセージにはRNSAP:COMMON MEASUREMENT INITIATION FAILUREが含まれている。
【０１４６】
HNB-GW１１０がHNB８１０の失敗情報６３０を保持している状況で、HNB３１０からHNB８１０のネットワーク情報６１０を要求された場合（動作Ｓ６００）、HNB３１０は、RNA:DIRECT TRANSFERをHNB-GW１１０へ送信する（動作Ｓ６０１）。HNB３１０がこのメッセージで要求している情報は、HNB２１０がS５９１で要求するネットワーク情報６１０の一部ないしは全部である。
【０１４７】
HNB-GW１１０は、HNB３１０がHNB８１０のネットワーク情報６１０を要求していることを検知すると、記憶部１１３の失敗情報６３０から応答メッセージを生成し（Ｓ６０２）、RNA:DIRECT TRANSFERをHNB３１０へ送信する（動作Ｓ６０３）。
【０１４８】
１３．３）効果
本発明の第１３実施例によれば、HNBから送信するRNA:DIRECT TRANSFER(RNSAP:COMMON MEASUREMENT INITIATION REQUEST)とそれに対応するRNA:DIRECT TRANSFER(RNSAP:COMMON MEASUREMENT INITIATION FAILURE)を削減することで通信事業者のネットワーク内部の通信負荷を削減することができる。
【０１４９】
１４．第１４実施例
本発明の第１４実施例では、あるHNBが別のHNBのネットワーク情報の要求を終了した後でもHNBとHNB-GWの間のメッセージを省くことで、通信事業者のネットワーク内部の負荷を低減する。
【０１５０】
１４．１）構成
第１４実施例を適用するネットワークの構成は上述した図２３に示す通りであるから、説明は省略する。
【０１５１】
１４．２）動作
図３１に示すように、HNB２１０がHNB８１０のネットワーク情報６１０の要求を終了する場合（Ｓ６１０）、HNB２１０はRNA:DIRECT TRANSFERをHNB-GW１１０に送信する（動作Ｓ６１１）。このメッセージにはRNSAP:COMMON MEASUREMENT TERMINATION REQUESTが含まれており、HNB２１０はこのメッセージでHNB８１０のネットワーク情報６１０の要求を終了することを意図している。
【０１５２】
HNB-GW１１０はRNA:DIRECT TRANSFERをHNB８１０へ中継し（動作Ｓ６１２）、HNB８１０のネットワーク情報６１０を要求している全てのHNBがネットワーク情報６１０の要求を終了したことを検知すると、HNB８１０のネットワーク情報６１０が記憶部１１３に保存されていれば、それを有効期限が満了するまで保持し、有効期限がなければ即座に破棄する（動作Ｓ６１３)。
【０１５３】
HNB２１０がHNB８１０のネットワーク情報の要求を終了後にHNB３１０からHNB８１０のネットワーク情報６１０を要求された場合（動作Ｓ６２０)、ネットワーク情報６１０の有効期限があれば、有効期限が満了するまでは動作Ｓ５８０の処理を実施し、有効期限満了後あるいは有効期限がなければ、動作Ｓ５７０の処理を実施する（動作Ｓ６２１)。
【０１５４】
１４．３）効果
本発明の第１４実施例によれば、HNB２１０がネットワーク情報６１０の要求を終了した後も、HNB３１０とHNB-GW１１０の間のメッセージを省略することができ、ネットワーク内部の通信負荷を軽減できる。
【０１５５】
１５．第１５実施例
本発明の第１５実施例では、無線基地局が中継ノードとして１台以上の無線基地局とコアネットワーク装置の間の情報を転送するネットワークにおいて、中継ノードとして振舞う無線基地局が転送する情報の一部または全部を保存して再利用することで、ネットワーク内部の通信負荷を減らすことができる。
【０１５６】
3GPP TS36.300では中継ノードとして振舞う基地局はDonor eNB(以下、DeNB)と呼ばれているが、それ以外に２０１２年６月に開催された３GPPのWorkshopでRWS-120010として提案された、C-plane（制御信号）とU-plane（データ信号）を送信する基地局を分離するネットワーク構成においても本実施例は適用可能である。このネットワーク構成では、制御信号がユーザ端末UE(User Equipment)とMacro cell(マクロセル)の間で直接に送受信されているが、UEがPhantom cell（ファントムセル）とは通信できるがMacro cellとは通信できない場合に、Phantom cellが制御信号をUEに送信する場合が生じうる。このような場合にPhantom cellが中継ノードとして機能していると言えるので、本実施例が適用可能となる。
【０１５７】
１５．１）構成
図３２に示すように、第１５実施例が適用されるネットワーク構成では、無線基地局２０と無線基地局３０が無線基地局９０を介してコアネットワーク装置４０と接続し、無線基地局８０がコアネットワーク装置４０に直接接続しているものとする。
【０１５８】
１５．２）動作
図３３に示すように、ゲートウェイ装置１０が無線基地局８０のネットワーク情報６０を保持していない場合、無線基地局２０が無線基地局８０のネットワーク情報６０を問い合わせる要求メッセージを送信し、これを無線基地局９０が受信したとする（動作Ｓ５１）。
【０１５９】
無線基地局９０は、無線基地局２０がネットワーク情報６０を要求していることを検知すると、記憶部９３にネットワーク情報６０が存在しないことを確認し（動作Ｓ５２）、無線基地局２０からのネットワーク情報６０の要求をコアネットワーク装置４０に中継する（動作Ｓ５３）。この要求を受けたコアネットワーク装置４０は、無線基地局８０からネットワーク情報６０を取得し（動作Ｓ５４）、これを無線基地局２０へ応答として送信するが、無線基地局９０がこの応答を受信する（動作Ｓ５５）。無線基地局９０は、受信した応答のネットワーク情報６０を記憶部９３に登録し（動作Ｓ５６）、当該応答を無線基地局２０へ中継する（動作Ｓ５７）。
【０１６０】
図３４に示すように、無線基地局９０が無線基地局８０のネットワーク情報６０を保持している場合、無線基地局３０が第１のメッセージを無線基地局装置９０に送信したとする（動作Ｓ６１）。このメッセージが要求するのは図３３における動作Ｓ５１で無線基地局２０が要求したネットワーク情報６０の一部ないしは全部である。無線基地局９０は、無線基地局３０がネットワーク情報６０の一部ないしは全部を要求していることを検知すると、記憶部９３のネットワーク情報６０から応答メッセージを生成し（動作Ｓ６２）、無線基地局３０へネットワーク情報６０の一部ないしは全てを含む第２のメッセージを送信する（動作Ｓ６３）。
【０１６１】
１５．３）効果
本発明の第１５実施例によれば、無線基地局９０とコアネットワーク装置４０の間とコアネットワーク装置４０と無線基地局８０の間のメッセージを省略することができ、通信事業者のネットワーク内部の通信負荷を削減できる。
【０１６２】
１６．第１６実施例
本発明の第１６実施例では、コアネットワーク装置が無線基地局同士の通信の中継ノードとして振舞い、ある無線基地局が要求したネットワーク情報の一部または全部を保存し、別の無線基地局が同じ情報を要求した場合に保存していた情報を再利用することで、送信メッセージを減らし、ネットワーク内部の通信負荷を減らす。本実施例では、ネットワーク情報として他の無線通信システムの情報を想定している。
【０１６３】
１６．１）構成
図３５に示すように、第１６実施例が適用されるネットワークの構成では、無線基地局２０および３０がコアネットワーク装置４０に接続されているものとする。
【０１６４】
１６．２）動作
図３６に示すように、コアネットワーク装置４０がネットワーク情報６０を保持していない場合（Ｓ７０）、無線基地局２０がネットワーク情報６０を問い合わせる要求メッセージを送信し、これをコアネットワーク装置４０が受信したとする（動作Ｓ７１）。コアネットワーク装置４０は、無線基地局２０がネットワーク情報６０を要求していることを検知すると、記憶部４３にネットワーク情報６０が存在しないことを確認し（動作Ｓ７２）、外部ネットワーク５０からネットワーク情報６０を取得する（動作Ｓ７３）。続いて、コアネットワーク装置４０は、取得したネットワーク情報６０を記憶部４３に登録し（動作Ｓ７４）、無線基地局２０にネットワーク情報６０を送信する（動作Ｓ７５）。
【０１６５】
コアネットワーク装置４０がネットワーク情報６０を保持している場合（Ｓ８０）、無線基地局３０が第１のメッセージをコアネットワーク装置４０に送信したとする（動作Ｓ８１）。このメッセージが要求するのは動作Ｓ７１で無線基地局２０が要求したネットワーク情報６０の一部ないしは全部であるものとする。
【０１６６】
コアネットワーク装置４０は、無線基地局３０がネットワーク情報６０の一部ないしは全部を要求していることを検知すると、記憶部４３のネットワーク情報６０から応答メッセージを生成し（動作Ｓ８２）、無線基地局３０へネットワーク情報６０の一部ないしは全てを含む第２のメッセージを送信する（動作Ｓ８３）。
【０１６７】
１６．３）効果
本発明の第１６実施例によれば、コアネットワーク装置４０と外部ネットワーク５０の間のメッセージを省略することができ、通信事業者のネットワーク内部の通信負荷を削減できる。
【０１６８】
１７．第１７実施例
上述した第１実施例と第３〜第１６実施例の一部または全てを組み合わせることで、通信事業者のネットワーク内部の負荷を削減することもできる。これらの組み合わせにおいて、ネットワーク情報６０、ネットワーク情報６１０、TNLアドレス７００、Resource Status６２０、失敗情報６３０には有効期限が設定されない。ここでは、例えばHeNB-GW１００とHNB１１０といった異なる無線通信システム上で動作する装置間には通信可能なインタフェースが存在することを仮定する。
【０１６９】
第３〜第１６実施例の動作は並列的に実行される。この場合、ゲートウェイ装置１０、HeNB-GW１００、HNB-GW１１０、X2-GW１２０、無線基地局９０、コアネットワーク装置４０は、第３〜第１６実施例のいずれかを適用して取得した情報を、他の実施例を適用する際に使用して応答メッセージを作成しても構わない。具体的には、ある実施例で取得した情報を再度利用する機会が訪れる前に、別の実施例で取得した情報の一部がその情報と同じである場合、新しい情報で置き換えることで再度利用する機会に最新の情報を使用して応答メッセージを作成してもよい。
【０１７０】
このように、第１実施例と第３〜第１６実施例とを組み合わせることで、それぞれを独立して実施した際に得られる効果を一度に得ることができる。
【０１７１】
１８．第１８実施例
上述した第２実施例と第３〜第１６実施例の一部または全てを組み合わせることで、通信事業者のネットワーク内部の負荷を削減することもできる。これらの組み合わせにおいて、ネットワーク情報６０、ネットワーク情報６１０、TNLアドレス７００、Resource Status６２０、失敗情報６３０には有効期限が設定される。ここでは、例えばHeNB-GW１００とHNB１１０といった異なる無線通信システム上で動作する装置間には通信可能なインタフェースが存在することを仮定する。
【０１７２】
第３〜第１６実施例の動作は並列的に実行される。この場合、ゲートウェイ装置１０、HeNB-GW１００、HNB-GW１１０、X2-GW１２０、無線基地局９０、コアネットワーク装置４０は、いずれかの実施例を適用して取得した情報を、他の実施例を適用する際に使用して応答メッセージを作成しても構わない。具体的には、ある実施例で取得した情報を再度利用する機会が訪れる前に、別の実施例で取得した情報の一部がその情報と同じである場合、新しい情報で置き換えることで再度利用する機会に最新の情報を使用して応答メッセージを作成してもよい。
【０１７３】
このように、第２実施例と第３〜第１６実施例とを組み合わせることで、それぞれを独立して実施した際に得られる効果を一度に得ることができる。
【０１７４】
１９．第１９実施例
本発明の第１９実施例では、第１実施例においてゲートウェイ装置１０が記憶部１２に保持したネットワーク情報６０が無線基地局が指定した期限内に取得したものであれば、ゲートウェイ装置１０が取得した情報を再利用して応答メッセージを作成することができる。
【０１７５】
１９．１）構成
第１９実施例が適用されるネットワークの構成は図５と同じであるから、説明は省略する。
【０１７６】
１９．２）動作
図３７に示すように、ゲートウェイ装置１０が無線基地局２０の指定期限６１以降に取得したネットワーク情報６０を保持していない場合、無線基地局２０がコアネットワーク装置４０に対してネットワーク情報６０を要求するメッセージを送信したとする（動作Ｓ１０３１）。このメッセージには指定期限６１が設定されており、無線基地局２０はこの指定期限６１以降に取得された情報を要求している。
【０１７７】
ゲートウェイ装置１０は、無線基地局２０が指定期限６１以降に取得されたネットワーク情報６０を要求していることを検出すると、記憶部１３に該当するネットワーク情報６０が存在しないことを確認し（動作Ｓ１０３２）、無線基地局２０からの指定期限６１以降に取得されたネットワーク情報６０の要求をコアネットワーク装置４０に中継する（動作Ｓ１０３３）。ここではコアネットワーク装置４０は指定期限６１を確認する機能を有しないものとする。
【０１７８】
コアネットワーク装置４０は、ネットワーク情報６０の要求を受けると、外部ネットワーク５０にネットワーク情報６０を問合せて取得し（動作Ｓ１０３４）、ネットワーク情報６０を含めた応答をゲートウェイ装置１０に返す（動作Ｓ１０３５）。
【０１７９】
ゲートウェイ装置１０はコアネットワーク装置４０からの応答に含まれるネットワーク情報６０を記憶部１３に登録し（動作Ｓ１０３６）、コアネットワーク装置４０からの応答を無線基地局２０へ中継する（動作Ｓ１０３７）。
【０１８０】
図３８に示すように、ゲートウェイ装置１０が保持しているネットワーク情報６０が指定期限６２以降に取得されたものである場合（Ｓ１０４０）、無線基地局３０が指定期限６２以降に取得されたネットワーク情報６０の一部ないしは全部を要求する第１のメッセージをゲートウェイ装置１０に送信したとする（動作Ｓ１０４１）。
【０１８１】
ゲートウェイ装置１０は、第１のメッセージを受信すると、該当するネットワーク情報６０を記憶部１３の登録データから発見し、これを用いて応答メッセージを生成する（動作Ｓ１０４２）。そして、ゲートウェイ装置１０は、第１のメッセージをコアネットワーク装置４０へ送信することなく、指定期限６２以降に取得されたネットワーク情報６０の一部ないしは全部を含む第２のメッセージを無線基地局３０に応答メッセージとして送信する（動作Ｓ１０４３）。
【０１８２】
ゲートウェイ装置１０が保持しているネットワーク情報６０が指定期限６２以内に取得されたものではない場合（Ｓ１０５０）、無線基地局３０が、指定期限６２以内に取得されたネットワーク情報６０の一部ないしは全部を要求する第１のメッセージをゲートウェイ装置１０に送信したとする（動作Ｓ１０５１）。ゲートウェイ装置１０は、第１のメッセージを受信すると、該当する情報が記憶部１２に存在しないことを確認し（動作Ｓ１０５２）、図３７における動作Ｓ１０３３〜Ｓ１０３７の処理を実施する（動作Ｓ１０５３）。
【０１８３】
指定期限６２については、無線基地局３０が要求するネットワーク情報６０に含まれる情報要素の全て或いは一部に設定することもできる。例えば、無線基地局３０が要求するネットワーク情報６０が、外部ネットワークにおける受信干渉電力や接続ユーザ数などのように時々刻々と変化する情報要素を含んでいる場合には、該当する情報要素の指定期限６２によって指定される時刻はメッセージ送信時刻に近い値となる。一方、無線基地局３０が要求するネットワーク情報６０の情報要素が外部ネットワークにおける宛先アドレス情報やセルの固有情報などのように静的或いは準静的な情報の場合には、指定期限６１によって指定される時刻はメッセージ送信時刻に近くない値となりうる。指定期限６２がネットワーク情報６０の情報要素毎に設定される場合、動作Ｓ１０４０あるいはＳ１０５０の手順は以下のいずれの手順で実施されてもよい。
【０１８４】
無線基地局３０が要求しているネットワーク情報６０の一部ないしは全部の情報要素のうち、指定期限６２が設定されているものの全てが指定期限６２以内に取得されたものである場合には、動作Ｓ１０４０の処理を実施する。
【０１８５】
無線基地局３０が要求しているネットワーク情報６０の一部ないしは全部の情報要素のうち、指定期限６２が設定されているものの一部が指定期限６２以内に取得されておらず、指定期限６２以内に取得されていないものが応答メッセージの必須パラメータでない場合には、指定期限６２以内に取得されている情報要素を応答メッセージには設定せず、動作Ｓ１０４０の処理を実施する。
【０１８６】
無線基地局３０が要求しているネットワーク情報６０の一部ないしは全部の情報要素のうち、指定期限６２が設定されているものの一部が指定期限６２以内に取得されておらず、指定期限６２以内に取得されていないものが応答メッセージの必須パラメータあれば、動作Ｓ１０５０の処理を実施する。
【０１８７】
１９．３）効果
本発明の第１９実施例によれば、無線基地局が指定した期限内に取得されたネットワーク情報をより短い時間で入手して処理に用いることができるので処理のリアルタイム性を向上することができる。また、情報毎に指定期限を設けているため、必要とされる情報の用途に応じて実施例１の実施可否を決めることが出来る。
【０１８８】
２０．第２０実施例
本発明の第２０実施例は、上述した第１９実施例を第３実施例に適用したものであり、RIM手順に使用されるコンテナに新たな情報要素を導入する。
【０１８９】
２０．１）構成
本発明の第２０実施例を適用するネットワークの構成は図１０に示すとおりであるから、説明は省略する。
【０１９０】
２０．２）動作
図３９において、「ネットワーク情報６００」は3GPP TS48.018に規定されているGERAN /UTRANのネットワーク情報やSelf-organizing network(以下、SON)のようなRANに関する任意の情報、現在の３ＧＰＰで規定されていないCDMA2000（1xRTTやHRPD）やWireless LAN等に関する情報を指す。本実施例では、コンテナの中にSpecifiedTime（特定時刻）やTimestamp（タイムスタンプ）という情報要素を定義し（図４１、図４２を参照）、無線基地局が設定する指定期限やHeNB-GWがネットワーク情報を取得した時刻をこの情報要素で表現するものとする。なお、「Timestamp」は、情報を取得した時点の時間情報であり、送信側の情報に含めることもできるし、受信側で情報を記録するときに付与することもできる。
【０１９１】
図３９に示すように、HeNB-GW１００が指定期限６０１以降に取得したネットワーク情報６００を保持していない場合、HeNB２００がS1AP:ENB DIRECT INFORMATION TRANSFERをHeNB-GW１００に送信したとする（動作Ｓ２０１１）。このメッセージにはRAN-INFORMATION-REQUEST Application Containerが含まれており、この中には3GPP TS48.018で規定される以下の４つの要素やこれら以外の現在の３GPPで規定されないCDMA2000（1xRTTやHRPD）やWireless LANの情報のいずれか一つまたは複数が含まれうる。
RAN-INFORMATION-REQUEST Application Container for the NACC Application
RAN-INFORMATION-REQUEST Application Container for the SI3 Application
RAN-INFORMATION-REQUEST Application Container for the UTRA SI Application
RAN-INFORMATION-REQUEST Application Container for the SON Transfer Application
【０１９２】
コンテナには、図４１に示すように、SpecifiedTimeという情報要素が追加され、ここにHeNB２００が指定期限６０１を設定する。
【０１９３】
HeNB-GW１００は、受信したS1AP:ENB DIRECT INFORMATION TRANSFERからHeNB２００が指定期限６０１以降に取得したネットワーク情報６００を要求していることを検出すると、記憶部１０３にネットワーク情報６００が存在しないことを確認し（動作Ｓ２０１２）、S1AP:ENB DIRECT INFORMATION TRANSFERをMME４００に中継する（動作Ｓ２０１３）。これを受けて、MME４００は、外部ネットワーク５００へUTRAN/GERANのネットワーク情報６００を要求し（動作Ｓ２０１４）、外部ネットワーク５００からUTRAN/GERANのネットワーク情報６００の応答を受信すると（動作Ｓ２０１５）、ネットワーク情報６００を含めたS1AP:MME DIRECT INFORMATION TRANSFERをHeNB-GW１００へ送信する（動作Ｓ２０１６）。
【０１９４】
S1AP:MME DIRECT INFORMATION TRANSFERをMME４００から受信すると、HeNB-GW１００はネットワーク情報６００を記憶部１０３に登録し（動作Ｓ２０１７）、S1AP:MME DIRECT INFORMATION TRANSFERをHeNB２００に中継する（動作Ｓ２０１８）。
【０１９５】
このネットワーク情報６００としては、無線基地局２００が動作Ｓ２０１１で送信した要素に対応する3GPP TS48.018に記載されている以下の４つの要素や現在の３ＧＰＰで規定されていないCDMA2000（1xRTTやHRPD）やWireless LANの要素のうちの一つ或いは複数が含まれる。
RAN-INFORMATION Application Container for the NACC Application
RAN-INFORMATION Application Container for the SI3 Application
RAN-INFORMATION Application Container for the UTRA SI Application
RAN-INFORMATION Application Container for the SON Transfer Application
【０１９６】
また、図４２で下線を付して示しているTimestampにある時刻情報をHeNB-GW１００が保存し、後にネットワーク情報６００の指定期限６０２を問い合わされた場合に参照する。
【０１９７】
図４０に示すように、HeNB-GW１００が指定期限６０２以降に取得したネットワーク情報６００を保持している場合（Ｓ２０２０）、HeNB３００がS1AP:ENB DIRECT INFORMATION TRANSFERをHeNB-GW１００に送信したとする（動作Ｓ２０２１）。HeNB３００がこのメッセージで要求しているのは、HeNB２００が図３９における動作Ｓ２０１１で要求したネットワーク情報６００の一部ないしは全部であり、さらにこれらの情報が指定期限６０２以降に取得されていることを要求している。
【０１９８】
S1AP:ENB DIRECT INFORMATION TRANSFERを受信したHeNB-GW１００は、HeNB３００が指定期限６０２以降に取得したネットワーク情報６００を要求していることを検出すると、記憶部１０３の登録データから応答メッセージを生成し（動作Ｓ２０２２）、S1AP:MME DIRECT INFORMATION TRANSFERをHeNB３００に送信する（動作Ｓ２０２３）。このメッセージにはHeNB３００が動作Ｓ２０２１で要求したネットワーク情報６００の一部ないしは全部が含まれている。
【０１９９】
HeNB-GW１００が指定期限６０２以降に取得したネットワーク情報６００を保持していない場合（Ｓ２０３０）、HeNB３００がS1AP:ENB DIRECT INFORMATION TRANSFERをHeNB-GW１００に送信したとする（動作Ｓ２０３１）。HeNB３００がこのメッセージで要求しているのは、HeNB２００が図３９における動作Ｓ２０１１で要求したネットワーク情報６００の一部ないしは全部であり、さらにこれらの情報が指定期限６０２以降に取得されていることを要求している。
【０２００】
S1AP:ENB DIRECT INFORMATION TRANSFERを受信したHeNB-GW１００は、HeNB３００が指定期限６０２以降に取得したネットワーク情報６００を要求していることを検出すると、記憶部１０３の登録データに該当するものが存在しないことを確認し（動作Ｓ２０３２）、図３９における動作Ｓ２０１３〜Ｓ２０１８の処理を実行する（動作Ｓ２０３３）。
【０２０１】
２０．３）効果
本発明の第２０実施例によれば、上述した第３実施例および第１９実施例を組み合わせた効果を有する。
【０２０２】
２１．第２１実施例
本発明の第２１実施例は、上述した第１実施例あるいは第２実施例と第１９実施例との組み合わせに、さらに第３〜第１６実施例および第２０実施例の一部または全てを組み合わせることで、通信事業者のネットワーク内部の負荷を削減する。
【０２０３】
２１．１）構成
本発明の第２１実施例を適用するネットワークの構成は第３〜第１６実施例の組み合わせである。ここでは、例えばHeNB-GW１００とHNB１１０といった異なる無線通信システム上で動作する装置間には通信可能なインタフェースが存在すると仮定する。
【０２０４】
２１．２）動作
第３〜第１６実施例および第２０実施例の動作が並列的に実施される。この場合、ゲートウェイ装置１０、HeNB-GW１００、HNB-GW１１０、X2-GW１２０、無線基地局９０、コアネットワーク装置４０がいずれかの実施例を適用して取得した情報を、他の実施例を適用する際に使用して応答メッセージを作成しても構わない。具体的には、ある実施例で取得した情報を再度利用する機会が訪れる前に、別の実施例で取得した情報の一部がその情報と同じである場合、新しい情報で置き換えることで再度利用する機会に最新の情報を使用して応答メッセージを作成してもよい。
【０２０５】
また、第３実施例と第２０実施例とを組み合わせて実施する場合、TRANSFERには設定されるSpecifiedTimeが、MME４００からHeNB-GW１００が受信するS1AP:MME DIRECT INFORMATION TRANSFERの中にはTimestampとExpirationTimeの両方が設定される。以下、これらの情報要素の使用例を示すが、これらはあくまで使用例の一部であり、他の使用例も有り得る。
【０２０６】
（１）HeNB-GW１００に登録済みのネットワーク情報６０のTimestampが「２０１２年１０月１５日１５:００」、ExpirationTime（満了時刻）が「２０１２年１０月１５日１７:００」であるとする。この場合、HeNB２００がSpecifiedTimeに「２０１２年１０月１５日１６:００」と設定して「２０１２年１０月１５日１６:００までに取得したネットワーク情報６０の全部または一部を受け取りたい」という要求を「２０１２年１０月１５日１５:３０」に実施した場合、ネットワーク情報６０はHeNB-GW１００が「２０１２年１０月１５日１５:３０」までに取得しており、要求した時刻がExpirationTimeを過ぎていないので、HeNB-GW１００は登録済みのネットワーク情報６０の全部或いは一部を用いてHeNB２００への応答メッセージを作成する。
【０２０７】
（２）HeNB-GW１００に登録済みのネットワーク情報６０のTimestampが「２０１２年１０月１５日１５:００」、ExpirationTimeが「２０１２年１０月１５日１７:００」であるとする。この場合、HeNB２００がSpecifiedTimeに「２０１２年１０月１５日１６:００」と設定して「２０１２年１０月１５日１６:００までに取得したネットワーク情報６０の全部または一部を受け取りたい」という要求を「２０１２年１０月１５日１６:３０」に実施した場合、ネットワーク情報６０はHeNB-GW１００が「２０１２年１０月１５日１６:００」までに取得しており、要求した時刻がExpirationTimeを過ぎていないので、HeNB-GW１００は登録済みのネットワーク情報６０の全部或いは一部を用いてHeNB２００への応答メッセージを作成する。
【０２０８】
（３）HeNB-GW１００に登録済みのネットワーク情報６０のTimestampが「２０１２年１０月１５日１５:００」、ExpirationTimeが「２０１２年１０月１５日１７:００」であるとする。この場合、HeNB２００がSpecifiedTimeに「２０１２年１０月１５日１６:００」と設定して「２０１２年１０月１５日１６:００までに取得したネットワーク情報６０の全部または一部を受け取りたい」という要求を「２０１２年１０月１５日１７:３０」に実施した場合、ネットワーク情報６０はHeNB-GW１００が「２０１２年１０月１５日１６:００」までに取得しているが、要求した時刻がExpirationTimeを過ぎているため、HeNB-GW１００は上位装置に要求メッセージを転送する。
【０２０９】
（４）HeNB-GW１００に登録済みのネットワーク情報６０のTimestampが「２０１２年１０月１５日１５:００」、ExpirationTimeが「２０１２年１０月１５日１７:００」であるとする。この場合、HeNB２００がSpecifiedTimeに「２０１２年１０月１５日１８:００」と設定して「２０１２年１０月１５日１８:００までに取得したネットワーク情報６０の全部または一部を受け取りたい」という要求を「２０１２年１０月１５日１６:３０」に実施した場合、ネットワーク情報６０はHeNB-GW１００が「２０１２年１０月１５日１８:００」までに取得しており、要求した時刻がExpirationTimeを過ぎていないのでHeNB-GW１００は登録済みのネットワーク情報６０の全部或いは一部を用いてHeNB２００への応答メッセージを作成する。
【０２１０】
（５）HeNB-GW１００に登録済みのネットワーク情報６０のTimestampが「２０１２年１０月１５日１５:００」、ExpirationTimeが「２０１２年１０月１５日１７:００」であるとする。この場合、HeNB２００がSpecifiedTimeに「２０１２年１０月１５日１８:００」と設定して「２０１２年１０月１５日１８:００までに取得したネットワーク情報６０の全部または一部を受け取りたい」という要求を「２０１２年１０月１５日１７:３０」に実施した場合、ネットワーク情報６０はHeNB-GW１００が「２０１２年１０月１５日１８:００」までに取得しているが、要求した時刻がExpirationTimeを過ぎているのでHeNB-GW１００は上位装置に要求メッセージを転送する。
【０２１１】
（６）HeNB-GW１００に登録済みのネットワーク情報６０のTimestampが「２０１２年１０月１５日１５:００」、ExpirationTimeが「２０１２年１０月１５日１７:００」であるとする。この場合、HeNB２００がSpecifiedTimeに「２０１２年１０月１５日１８:００」と設定して「２０１２年１０月１５日１８:００までに取得したネットワーク情報６０の全部または一部を受け取りたい」という要求を「２０１２年１０月１５日１８:３０」に実施した場合、ネットワーク情報６０はHeNB-GW１００が「２０１２年１０月１５日１８:００」までに取得しているが、要求した時刻がExpirationTimeを過ぎているのでHeNB-GW１００は上位装置に要求メッセージを転送する。
【０２１２】
２１．３）効果
本発明の第２１実施例によれば、第１実施例あるいは第２実施例、第１９実施例、さらに第３〜第１６実施例および第２０実施例のそれぞれを独立して実施した際に得られる効果を一度に得ることができる。
【０２１３】
２２．第２２実施例
上述した第３実施例ではRAN-INFORMATION-REQUEST RIM PDU IndicationsのPDU Type Extension fieldに001(RAN-INFORMATION-REQUEST/Single Report PDU)が設定されていると想定したが、本発明の第２２実施例では010(RAN-INFORMATION-REQUEST/Multiple Report PDU)が設定されている場合を扱う。
【０２１４】
２２．１）構成
本発明の第２２実施例を適用するネットワークの構成は図１０に示すとおりであるから、説明は省略する。
【０２１５】
２２．２）動作
図４３に示すように、HeNB-GW１００がネットワーク情報６００を保持していない場合には、動作Ｓ３１１１、Ｓ３１１２、Ｓ３１１４〜Ｓ３１１８、Ｓ３１２０は、図１１に示す第３実施例の動作Ｓ１１１〜Ｓ１１８とそれぞれ同じであるが、以下の３点が異なっている。
４３−１）動作Ｓ３１１１においてHeNB２００が送信するメッセージのRAN-INFORMATION-REQUEST RIM PDU IndicationsのPDU Type Extension fieldには、010(RAN-INFORMATION-REQUEST/Multiple Report PDU)が設定される。
４３−２）動作Ｓ３１１６において外部ネットワーク５００が応答するメッセージのRAN-INFORMATION RIM PDU IndicationsのPDU Type Extension fieldには、101(RAN-INFORMATION /Initial Multiple Report PDU)が設定される。
４３−３）動作Ｓ３１１２においてHeNB-GW１００がHeNB２００から外部ネットワーク５００への問合せを受けたことを記憶部１０３に登録する。
【０２１６】
図４４に示すように、HeNB-GW１００がネットワーク情報６００を保持している場合には（Ｓ３１３０）、動作Ｓ３１３１、Ｓ３１３２、Ｓ１３４は、図１２に示す第３実施例の動作Ｓ１２１〜Ｓ１２３と同じであるが、次の１点が異なる。
４４−１）動作Ｓ３１３２においてHeNB-GW１００がHeNB２００から外部ネットワーク５００への問合せを受けたことを記憶部１０３に登録する。
【０２１７】
外部ネットワーク５００においてネットワーク情報６００が更新された場合（Ｓ３１４０）、外部ネットワーク５００からMME４００へネットワーク情報６００の更新が通知されると（動作Ｓ３１４１）、MME４００は、HeNB-GW１００へS1AP:MME DIRECT INFORMATION TRANSFERを送信する（動作Ｓ３１４２）。このメッセージのRAN-INFORMATION RIM PDU IndicationsのPDU Type Extension fieldに011(RAN-INFORMATION /Multiple Report PDU)が設定されている。S1AP:MME DIRECT INFORMATION TRANSFER を受信したHeNB-GW１００は、更新されたネットワーク情報６００を記憶部１０３に登録し（動作Ｓ３１４３）、S1AP:MME DIRECT INFORMATION TRANSFERをHeNB２００とHeNB３００にそれぞれ送信する（動作Ｓ３１４４、Ｓ３１４５）。
【０２１８】
２２．３）効果
本発明の第２２実施例によれば、動作Ｓ３１１１においてメッセージのRAN-INFORMATION-REQUEST RIM PDU IndicationsのPDU Type Extension fieldに、010(RAN-INFORMATION-REQUEST/Multiple Report PDU)が設定される場合も第３実施例と同様の効果が得られる。
【０２１９】
２３．他の実施例
（１）上記各実施例において、ゲートウェイ装置、HeNB-GW、HNB-GW、無線基地局、コアネットワーク装置が取得した情報を、別の実施例における応答メッセージの作成に使用しても構わない。
【０２２０】
（２）第３実施例ではHeNB-GW１００が記憶部１０３に、第８実施例ではHNB-GW１１０が記憶部１１３に、SONに関連する以下のコンテナのネットワーク情報を保存する：
RAN-INFORMATION Application Container for the SON Transfer Application。
【０２２１】
3GPP TS36.413のAnnex Bに記載に従い、HeNB-GW１００やHNB-GW１１０がInter-RAT load balancingとInter-RAT Mobility Robustness Optimization（以下、MRO）のために、これらの情報を活用してもよい。具体的にはSON機能をHeNB-GW１００やHNB-GW１１０が具備し、ネットワークを自律的に運用・保守したり、無線基地局の負荷分散を実施したりするのに用いても構わない。
【０２２２】
（３）第１５実施例において、無線基地局２０と無線基地局３０はコアネットワーク装置４０を介して接続している無線基地局８０のネットワーク情報６０を取得したが、無線基地局８０が無線基地局９０と接続している場合にも第５実施例や第６実施例と同様の処理が適用できるものとする。具体的には、第５実施例と第６実施例におけるX2-GW１２０と同じ処理を無線基地局９０が実施しても構わない。
【０２２３】
（４）第２実施例と第３実施例とを組み合わせると、図１１における動作Ｓ１１５において、外部ネットワーク５００が有効期限を設定したネットワーク情報６００を応答としてMME４００が受信することになる。3GPP TS48.018の8c.5章に従うと、RAN-INFORMATION-REQUEST Application Container for the NACC ApplicationやRAN-INFORMATION-REQUEST Application Container for the SI3 ApplicationのReporting Cell Identifierで指定されるセルが通信事業者によって再起動された場合、RIM手順としてHeNB-GW１００はS1AP:MME DIRECT INFORMATION TRANSFERを受信する。ネットワーク情報６００の有効期限が満了する前にHeNB-GW１００がこのメッセージを受信すると、HeNB-GW１００はこの情報を記憶部１０３から削除してもよい。これは第８実施例に対しても同様である。
【０２２４】
（５）第２０実施例において、3GPP TS48.018で定義されているコンテナにSpecifiedTimeとTimestampを導入することを図４３と図４４に示したが、SpecifiedTimeとTimestampは他の実施例で使用しているメッセージに新たな情報要素として追加しても構わない。
【０２２５】
（６）第２実施例を図１０に示す第３実施例の構成に適用することも可能である。この場合は図４５に示すように、有効期限を示す情報要素をRAN-INFORMATIONにExpirationTimeとして追加することで、外部ネットワークから有効期限をHeNB-GW１００に通知することが可能となる。このExpirationTimeに相当する情報要素は他の実施例で使用しているメッセージに新たな情報要素として追加しても構わない。
【０２２６】
２４．付記
上述した実施形態の一部あるいは全部は、以下の付記のようにも記載されうるが、これらに限定されるものではない。
（付記１）
ネットワークと接続した第１通信装置に複数の第２通信装置が接続された通信システムであって、
情報の要求元である第２通信装置と前記ネットワーク上の情報提供元との間で前記第１通信装置を通して情報の要求メッセージとその応答メッセージが送受信されると、前記第１通信装置が前記応答メッセージから取得した前記情報を格納し、任意の第２通信装置が前記情報提供元に対して同じ情報を要求したときに、前記第１通信装置が当該情報を含む応答メッセージを作成して応答する、ことを特徴とする通信システム。
（付記２）
前記情報提供元が前記情報に有効期限を設定し、前記第１通信装置は前記格納された情報が前記有効期限内であれば前記応答メッセージを作成して応答する、ことを特徴とする付記１に記載の通信システム。
（付記３）
情報の要求元が前記要求する情報の取得指定期間を設定し、前記第１通信装置は前記格納された情報が前記取得指定期間内であれば前記応答メッセージを作成して応答する、ことを特徴とする付記１または２に記載の通信システム。
（付記４）
前記ネットワークが移動通信システムのコアネットワークであることを特徴とする付記１−３のいずれか１項に記載の通信システム。
（付記５）
前記ネットワークが移動通信システムの外部ネットワークであることを特徴とする付記１−３のいずれか１項に記載の通信システム。
（付記６）
前記第１通信装置がゲートウェイ装置であり、前記第２通信装置が無線基地局であることを特徴とする付記１−５のいずれか１項に記載の通信システム。
（付記７）
前記第１通信装置および前記第２通信装置が共に無線基地局であることを特徴とする付記１−５のいずれか１項に記載の通信システム。
（付記８）
ネットワークと複数の通信装置との間に設けられたゲートウェイ装置であって、
情報の要求元である通信装置と前記ネットワーク上の情報提供元との間で送受信される情報の要求メッセージとその応答メッセージとを検出する手段と、
前記応答メッセージから取得した前記情報を格納する格納手段と、
任意の第２通信装置が前記情報提供元に対して同じ情報を要求したときに、前記格納手段に格納されている当該情報を含む応答メッセージを作成して応答する制御手段と、
を有することを特徴とするゲートウェイ装置。
（付記９）
前記制御手段は、前記情報に有効期限を設定されている場合、前記格納手段に格納された情報が前記有効期限内であれば前記応答メッセージを作成して応答することを特徴とする付記８に記載のゲートウェイ装置。
（付記１０）
前記制御手段は、前記要求元が要求する情報に取得指定期間が設定されている場合、前記格納手段に格納された情報が前記取得指定期間内であれば前記応答メッセージを作成して応答する、ことを特徴とする付記８または９に記載のゲートウェイ装置。
（付記１１）
前記ネットワークが移動通信システムのコアネットワークであることを特徴とする付記８−１０のいずれか１項に記載のゲートウェイ装置。
（付記１２）
前記ネットワークが移動通信システムの外部ネットワークであることを特徴とする付記８−１０のいずれか１項に記載のゲートウェイ装置。
（付記１３）
前記通信装置が無線基地局であることを特徴とする付記８−１２のいずれか１項に記載のゲートウェイ装置。
（付記１４）
ネットワークと複数の基地局との間に設けられた通信装置における通信制御方法であって、
情報の要求元である基地局と前記ネットワーク上の情報提供元との間で送受信される情報の要求メッセージとその応答メッセージとを検出し、
前記応答メッセージから取得した前記情報を格納手段に格納し、
任意の基地局が前記情報提供元に対して同じ情報を要求したときに、前記格納手段に格納されている当該情報を含む応答メッセージを作成して応答する、
ことを特徴とする通信制御方法。
（付記１５）
前記情報に有効期限を設定されている場合、前記格納手段に格納された情報が前記有効期限内であれば前記応答メッセージを作成して応答することを特徴とする付記１４に記載の通信制御方法。
（付記１６）
前記要求元が要求する情報に取得指定期間が設定されている場合、前記格納手段に格納された情報が前記取得指定期間内であれば前記応答メッセージを作成して応答する、ことを特徴とする付記１４または１５に記載の通信制御方法。
【産業上の利用可能性】
【０２２７】
本発明は外部ネットワークと移動通信ネットワークの教会に設けられたゲートウェイ装置に適用可能である。
【符号の説明】
【０２２８】
１、Ｎ１〜Ｎｎ  通信装置
Ｎｘ  情報提供元装置
２、３  通信部
４  応答情報記憶部
５  制御部
１０  ゲートウェイ装置
２０、３０、８０、９０  無線基地局
４０  コアネットワーク装置
５０  外部ネットワーク
【図１】
2014091739.tif 000003
【図２】
2014091739.tif 000004
【図３】
2014091739.tif 000005
【図４】
2014091739.tif 000006
【図５】
2014091739.tif 000007
【図６】
2014091739.tif 000008
【図７】
2014091739.tif 000009
【図８】
2014091739.tif 000010
【図９】
2014091739.tif 000011
【図１０】
2014091739.tif 000012
【図１１】
2014091739.tif 000013
【図１２】
2014091739.tif 000014
【図１３】
2014091739.tif 000015
【図１４】
2014091739.tif 000016
【図１５】
2014091739.tif 000017
【図１６】
2014091739.tif 000018
【図１７】
2014091739.tif 000019
【図１８】
2014091739.tif 000020
【図１９】
2014091739.tif 000021
【図２０】
2014091739.tif 000022
【図２１】
2014091739.tif 000023
【図２２】
2014091739.tif 000024
【図２３】
2014091739.tif 000025
【図２４】
2014091739.tif 000026
【図２５】
2014091739.tif 000027
【図２６】
2014091739.tif 000028
【図２７】
2014091739.tif 000029
【図２８】
2014091739.tif 000030
【図２９】
2014091739.tif 000031
【図３０】
2014091739.tif 000032
【図３１】
2014091739.tif 000033
【図３２】
2014091739.tif 000034
【図３３】
2014091739.tif 000035
【図３４】
2014091739.tif 000036
【図３５】
2014091739.tif 000037
【図３６】
2014091739.tif 000038
【図３７】
2014091739.tif 000039
【図３８】
2014091739.tif 000040
【図３９】
2014091739.tif 000041
【図４０】
2014091739.tif 000042
【図４１】
2014091739.tif 000043
【図４２】
2014091739.tif 000044
【図４３】
2014091739.tif 000045
【図４４】
2014091739.tif 000046
【図４５】
2014091739.tif 000047
【国際調査報告】
2014091739.tif 000048
2014091739.tif 000049
2014091739.tif 000050